(57)【特許請求の範囲】
【請求項１】
ほぼ円柱状の操作レバーの外周面上に取り付けられ、当該操作レバーの外周面に沿った或る一定の方向への往復運動が可能な環状スイッチと、
前記環状スイッチへの接触／非接触状態を検知する接触／非接触検知手段と、
前記接触／非接触検知手段が前記環状スイッチへの接触状態を検知しているとき、当該環状スイッチに予め対応付けられた特定の操作対象が有する複数の機能を、当該環状スイッチの往復運動方向と対応する方向に並んだ１列上に表示する表示手段と、
前記接触／非接触検知手段が前記環状スイッチへの接触状態を検知しているとき、前記環状スイッチの前記或る一定の方向への往復運動の位置に対応して、前記表示手段に１列上に表示された複数の機能の中から１つの機能を選択する機能選択手段と、
前記接触／非接触検知手段が前記環状スイッチが接触状態から非接触状態に遷移したことを検知したとき、前記機能選択手段によってそのとき選択されている機能を実行する指示を前記操作対象に与える実行指示手段とを備える、操作装置。
【請求項２】
前記環状スイッチは、前記操作レバーの円周方向に沿った回動運動が可能である、請求項１に記載の操作装置。
【請求項３】
前記環状スイッチは、前記操作レバーの長手方向に沿ったスライド運動が可能である、請求項１に記載の操作装置。
【請求項４】
前記機能選択手段により選択された機能を強調表示する機能強調表示手段をさらに備える、請求項１に記載の操作装置。
【請求項５】
ほぼ円柱状の操作レバーの外周面上に取り付けられ、当該操作レバーの円周方向に沿った回動運動および当該操作レバーの長手方向に沿ったスライド運動が可能な環状スイッチと、
前記環状スイッチへの接触／非接触状態を検知する接触／非接触検知手段と、
前記接触／非接触検知手段が前記環状スイッチへの接触状態を検知しているとき、当該環状スイッチに予め対応付けられた操作対象が有する複数の機能を、前記回動運動方向と対応する方向に並んだ１列上に表示する表示手段と、
前記接触／非接触検知手段が前記環状スイッチへの接触状態を検知しているとき、前記表示手段に表示される操作対象の機能グループを、前記環状スイッチのスライド運動の位置に対応した操作対象の機能グループに選択的に切り換える表示切換手段と、
前記接触／非接触検知手段が前記環状スイッチへの接触状態を検知しているとき、前記環状スイッチの回動運動の位置に対応して、前記表示手段に１列上に表示された複数の機能の中から１つの機能を選択する機能選択手段と、
前記接触／非接触検知手段が接触状態から非接触状態への遷移を検知したとき、前記機能選択手段によってそのとき選択されている機能を実行する指示を前記操作対象に与える実行指示手段とを備える、操作装置。
【請求項６】
前記環状スイッチには、そのスライド運動の位置に対応して複数の操作対象が対応付けられており、
前記表示手段は、前記環状スイッチに対応付けられた全ての操作対象の機能グループを一括的に複数列表示しており、
前記表示切換手段は、前記環状スイッチのスライド運動の位置に対応した操作対象の機能グループが強調表示されるように表示状態を切り換えることを特徴とする、請求項５に記載の操作装置。
【請求項７】
前記環状スイッチには、そのスライド運動の位置に対応して複数の操作対象が対応付けられており、
前記表示手段は、前記環状スイッチのスライド運動の位置に対応した操作対象の機能グループのみを表示するように表示状態を切り換えることを特徴とする、請求項５に記載の操作装置。
【請求項８】
前記機能選択手段により選択された機能を強調表示する機能強調表示手段をさらに備える、請求項５ないし７のいずれかに記載の操作装置。
【請求項９】
ほぼ円柱状の操作レバーの外周面上に取り付けられ、当該操作レバーの円周方向に沿った回動運動および当該操作レバーの長手方向に沿ったスライド運動が可能な環状スイッチと、
前記環状スイッチへの接触／非接触状態を検知する接触／非接触検知手段と、
前記接触／非接触検知手段が前記環状スイッチへの接触状態を検知しているとき、当該環状スイッチに予め対応付けられた操作対象が有する複数の機能を、前記スライド運動方向と対応する方向に並んだ１列上に表示する表示手段と、
前記接触／非接触検知手段が前記環状スイッチへの接触状態を検知しているとき、前記表示手段に表示される操作対象の機能グループを、前記環状スイッチの回動運動の位置に対応した操作対象の機能グループに選択的に切り換える表示切換手段と、
前記接触／非接触検知手段が前記環状スイッチへの接触状態を検知しているとき、前記環状スイッチのスライド運動の位置に対応して、前記表示手段に１列上に表示された複数の機能の中から１つの機能を選択する機能選択手段と、
前記接触／非接触検知手段が接触状態から非接触状態への遷移を検知したとき、前記機能選択手段によってそのとき選択されている機能を実行する指示を前記操作対象に与える実行指示手段とを備える、操作装置。
【請求項１０】
前記環状スイッチには、その回動運動の位置に対応して複数の操作対象が対応付けられており、
前記表示手段は、前記環状スイッチに対応付けられた全ての操作対象の機能グループを一括的に複数列表示しており、
前記表示切換手段は、前記環状スイッチの回動運動の位置に対応した操作対象の機能グループが強調表示されるように表示状態を切り換えることを特徴とする、請求項９に記載の操作装置。
【請求項１１】
前記環状スイッチには、その回動運動の位置に対応して複数の操作対象が対応付けられており、
前記表示手段は、前記環状スイッチの回動運動の位置に対応した操作対象の機能グループのみを表示するように表示状態を切り換えることを特徴とする、請求項９に記載の操作装置。
【請求項１２】
前記機能選択手段により選択された機能を強調表示する機能強調表示手段をさらに備える、請求項９ないし１１のいずれかに記載の操作装置。
【請求項１３】
前記環状スイッチの操作状態を案内する画像を表示する案内画像表示手段をさらに備える、請求項５または９に記載の操作装置。
【請求項１４】
前記環状スイッチを複数備えており、
各前記環状スイッチには、それぞれ異なる操作対象が対応付けられている、請求項５または９に記載の操作装置。
【請求項１５】
車両に搭載されることを特徴とする、請求項１ないし１４のいずれかに記載の操作装置。
【発明の詳細な説明】
【技術分野】
【０００１】
本発明は、操作装置に関し、より特定的には、自動車等の移動体に搭載される車載装置を操作するための操作装置に関する。
【背景技術】
【０００２】
従来から自動車等の移動体に搭載される車載装置のよりよい操作環境を提供するために、様々な操作装置が考案されている。このような操作装置として、例えば、特許文献１に記載の車両用レバースイッチ構造が挙げられる。特許文献１に記載の車両用レバースイッチは、方向指示器、ライト及びワイパなどの車載装置を操作するためのレバースイッチであり、ターンシグナルスイッチ、バッシングスイッチ、メイン・ディマ切り換えスイッチ及びワイパウォッシャスイッチなどの機能を備えている。そして、レバースイッチの端部に備えられている押し釦が押下されると、レバースイッチの内部に備えられているランプが発光し、当該レバースイッチの表面に備えられているターンシグナルスイッチ表示部、ライティングスイッチ表示部及びワイパースイッチ表示部がそれぞれ照らされる。これにより、特許文献１に記載の技術では、当該文献に記載のレバースイッチの操作に不慣れな者が、夜間において当該レバースイッチを操作する場合でも、ランプによって照らされているレバー表面の表示部をそれぞれ明確に視認することができる。
【０００３】
また、車載装置のよりよい操作環境を提供するための操作装置の一種としては、上記特許文献１の他にも特許文献２に記載の技術が挙げられる。特許文献２は、ステアリングを把持した運転者が、車両の走行中にステアリングホイールから手を離さずに親指で車載装置をそれぞれ操作することができるようにするために、ステアリングホイールのスポーク部分に車載装置用のスイッチを備え、表示画面を見ながらそれらのスイッチを操作することによって車載装置を操作する。特許文献２に記載の技術では、望ましい把持体勢で運転者がステアリングホイールを把持したときに、当該ステアリングホイールに設けられたステアリングスイッチに触れると、ステアリングスイッチの操作ガイドを表す表示像を車両のフロントガラスに設けられたＨＵＤ（Head Up Display）に表示する。特許文献２に記載の技術において、ＨＵＤに表示される操作ガイドは、図式化した各釦の図柄及び枠内での配置を実物のステアリングスイッチの図柄及び配置と同じにしている。そして、運転者によって触れられたステアリングスイッチに対応する表示像上の釦を反転表示する。これにより、特許文献２に記載の技術では、運転者は、ステアリングスイッチを操作するときに直接手元を視認しなくとも、直感的・視覚的に自身によって触れられているスイッチの種類及び位置を把握することができる。
【特許文献１】特開２００３−１６２９４３号公報
【特許文献２】特開２００６−２９８２４１号公報
【発明の開示】
【発明が解決しようとする課題】
【０００４】
しかしながら、特許文献１に記載されているようなレバースイッチは、一般的に、運転者に対してステアリングホイールの後方のステアリングコラムに配置される。したがって、レバースイッチの表面をランプによって照らしたとしても、ステアリングホイールによってレバースイッチを視認することが妨げられてしまう。つまり、特許文献１に記載の技術は、レバースイッチの表面の表示部をレバースイッチの内部に備えられているランプによって照らしたとしても、ターンシグナルスイッチ、バッシングスイッチ、メイン・ディマ切り換えスイッチ及びワイパウォッシャスイッチなどの機能を明確に視認して、誤ることなく操作するのは困難であるという課題を有している。
【０００５】
また、近年では、車載装置がそれぞれ多くの機能を有している。特許文献２に記載の技術では、運転者が車両の走行中に操作する必要のある車載装置の多くの機能を操作できるようにするためには、それぞれの車載装置の多くの機能に対応するステアリングスイッチを全て設けなければならない。しかし、これらのステアリングスイッチを全て設けるには、ステアリングホイールのスポーク部分の配置スペースでは不十分である。つまり、特許文献２に記載の技術は、多くの機能を有する車載装置をそれぞれ操作するには不十分であるという課題を有している。
【０００６】
それ故に本発明は、運転者が操作を希望する車載装置のスイッチを誤ることなく操作でき、多くの機能を容易に操作できる操作装置を提供することを目的とする。
【課題を解決するための手段】
【０００７】
上記目的を達成するために、本発明は、以下に示すような特徴を有する。
【０００８】
第１の発明は、ほぼ円柱状の操作レバーの外周面上に取り付けられ、当該操作レバーの外周面に沿った或る一定の方向への往復運動が可能な環状スイッチと、環状スイッチへの接触／非接触状態を検知する接触／非接触検知手段と、接触／非接触検知手段が環状スイッチへの接触状態を検知しているとき、当該環状スイッチに予め対応付けられた特定の操作対象が有する複数の機能を、当該環状スイッチの往復運動方向と対応する方向に並んだ１列上に表示する表示手段と、接触／非接触検知手段が環状スイッチへの接触状態を検知しているとき、環状スイッチの或る一定の方向への往復運動の位置に対応して、表示手段に１列上に表示された複数の機能の中から１つの機能を選択する機能選択手段と、接触／非接触検知手段が環状スイッチが接触状態から非接触状態に遷移したことを検知したとき、機能選択手段によってそのとき選択されている機能を実行する指示を操作対象に与える実行指示手段とを備える。
【０００９】
第２の発明は、第１の発明において、環状スイッチは、操作レバーの円周方向に沿った回動運動が可能である。
【００１０】
第３の発明は、第１の発明において、環状スイッチは、操作レバーの長手方向に沿ったスライド運動が可能である。
【００１１】
第４の発明は、第１の発明において、機能選択手段により選択された機能を強調表示する機能強調表示手段をさらに備える。
【００１２】
第５の発明は、ほぼ円柱状の操作レバーの外周面上に取り付けられ、当該操作レバーの円周方向に沿った回動運動および当該操作レバーの長手方向に沿ったスライド運動が可能な環状スイッチと、環状スイッチへの接触／非接触状態を検知する接触／非接触検知手段と、接触／非接触検知手段が環状スイッチへの接触状態を検知しているとき、当該環状スイッチに予め対応付けられた操作対象が有する複数の機能を、回動運動方向と対応する方向に並んだ１列上に表示する表示手段と、接触／非接触検知手段が環状スイッチへの接触状態を検知しているとき、表示手段に表示される操作対象の機能グループを、環状スイッチのスライド運動の位置に対応した操作対象の機能グループに選択的に切り換える表示切換手段と、接触／非接触検知手段が環状スイッチへの接触状態を検知しているとき、環状スイッチの回動運動の位置に対応して、表示手段に１列上に表示された複数の機能の中から１つの機能を選択する機能選択手段と、接触／非接触検知手段が接触状態から非接触状態への遷移を検知したとき、機能選択手段によってそのとき選択されている機能を実行する指示を操作対象に与える実行指示手段とを備える。
【００１３】
第６の発明は、第５の発明において、環状スイッチには、そのスライド運動の位置に対応して複数の操作対象が対応付けられており、表示手段は、環状スイッチに対応付けられた全ての操作対象の機能グループを一括的に複数列表示しており、表示切換手段は、環状スイッチのスライド運動の位置に対応した操作対象の機能グループが強調表示されるように表示状態を切り換えることを特徴とする。
【００１４】
第７の発明は、第５の発明において、環状スイッチには、そのスライド運動の位置に対応して複数の操作対象が対応付けられており、表示手段は、環状スイッチのスライド運動の位置に対応した操作対象の機能グループのみを表示するように表示状態を切り換えることを特徴とする。
【００１５】
第８の発明は、第５乃至第７のいずれか１つの発明において、機能選択手段により選択された機能を強調表示する機能強調表示手段をさらに備える。
【００１６】
第９の発明は、ほぼ円柱状の操作レバーの外周面上に取り付けられ、当該操作レバーの円周方向に沿った回動運動および当該操作レバーの長手方向に沿ったスライド運動が可能な環状スイッチと、環状スイッチへの接触／非接触状態を検知する接触／非接触検知手段と、接触／非接触検知手段が環状スイッチへの接触状態を検知しているとき、当該環状スイッチに予め対応付けられた操作対象が有する複数の機能を、スライド運動方向と対応する方向に並んだ１列上に表示する表示手段と、接触／非接触検知手段が環状スイッチへの接触状態を検知しているとき、表示手段に表示される操作対象の機能グループを、環状スイッチの回動運動の位置に対応した操作対象の機能グループに選択的に切り換える表示切換手段と、接触／非接触検知手段が環状スイッチへの接触状態を検知しているとき、環状スイッチのスライド運動の位置に対応して、表示手段に１列上に表示された複数の機能の中から１つの機能を選択する機能選択手段と、接触／非接触検知手段が接触状態から非接触状態への遷移を検知したとき、機能選択手段によってそのとき選択されている機能を実行する指示を操作対象に与える実行指示手段とを備える。
【００１７】
第１０の発明は、第９の発明において、環状スイッチには、その回動運動の位置に対応して複数の操作対象が対応付けられており、表示手段は、環状スイッチに対応付けられた全ての操作対象の機能グループを一括的に複数列表示しており、表示切換手段は、環状スイッチの回動運動の位置に対応した操作対象の機能グループが強調表示されるように表示状態を切り換えることを特徴とする。
【００１８】
第１１の発明は、第９の発明において、環状スイッチには、その回動運動の位置に対応して複数の操作対象が対応付けられており、表示手段は、環状スイッチの回動運動の位置に対応した操作対象の機能グループのみを表示するように表示状態を切り換えることを特徴とする。
【００１９】
第１２の発明は、第９乃至第１１のいずれか１つの発明において、機能選択手段により選択された機能を強調表示する機能強調表示手段をさらに備える。
【００２０】
第１３の発明は、第５又は第９のいずれかの発明において、環状スイッチの操作状態を案内する画像を表示する案内画像表示手段をさらに備える。
【００２１】
第１４の発明は、第５又は第９のいずれかの発明において、環状スイッチを複数備えており、各環状スイッチには、それぞれ異なる操作対象が対応付けられている。
【００２２】
第１５の発明は、第１乃至第１４のいずれか１つの発明において、車両に搭載されることを特徴とする。
【発明の効果】
【００２３】
本発明によれば、運転者が操作を希望する車載装置のスイッチを誤ることなく操作でき、多くの機能を容易に操作できる操作装置を提供できる。
【発明を実施するための最良の形態】
【００２４】
（第１の実施形態）
図１は、本実施形態に係る操作装置１０の概略構成を示すブロック図である。操作装置１０は、操作部１０１と、制御部１０２と、記憶部１０３と、表示部１０４とを備える。また、操作装置１０は、車載装置として、ワイパー装置１０５とライト装置１０６とをさらに備える。以下に、これらの構成要素の詳細について順番に説明をする。
【００２５】
まず始めに、操作部１０１について説明をする。図２は、操作部１０１の一例として、本実施形態に係る操作レバーを示す図である。図２に示される操作部１０１は、レバーＲｂと、第１の環状スイッチＳｗ１と、第２の環状スイッチＳｗ２と、第３の環状スイッチＳｗ３と、押し込みスイッチＰｓとからなる。
【００２６】
図２に一例として示されるレバーＲｂには、押し込みスイッチＰｓが、レバーＲｂの端部においてレバーＲｂの中心軸ａと押し込みスイッチＰｓの中心軸とがほぼ一致する位置に、レバーＲｂの内部方向に押し込み可能に設けられている。そして、押し込みスイッチＰｓは、押下されているときにＯｎとなり、押下されていないときにＯｆｆとなる。尚、本実施形態の説明では、レバーＲｂが、ワイパーやライトを操作するための一般的な操作レバーと同様にステアリングコラムに取り付けられているものとして説明をする。
【００２７】
押し込みスイッチＰｓには、２つの機能が割り当てられている。押し込みスイッチＰｓの第１の機能は、フロントウォッシャーとフロントワイパーとを同時に動作させる機能である。一方、押し込みスイッチＰｓの第２の機能は、フロントワイパーを１度だけ往復動作させるワイパーのＭＩＳＴ動作をさせる機能である。押し込みスイッチＰｓは、押下される時間に応じて上述した２つの機能をそれぞれ実行する。尚、押し込みスイッチＰｓは、押下される期間に応じて２つの機能をそれぞれ実行するため、後述する第１の環状スイッチＳｗ１〜第３の環状スイッチＳｗ３のようなタッチセンサではないことを付言しておく。
【００２８】
第１の環状スイッチＳｗ１〜第３の環状スイッチＳｗ３は、図２に示すようにレバーＲｂのそれぞれのニュートラル位置にレバーＲｂを軸として回動可能にそれぞれ取り付けられている。第１の環状スイッチＳｗ１〜第３の環状スイッチＳｗ３には、接触状態及び非接触状態を検出するタッチセンサが用いられる。そして、第１の環状スイッチＳｗ１〜第３の環状スイッチＳｗ３は、それぞれ接触状態（以下、単に接触という）を検出したときにＯｎとなり、非接触状態検出したとき（以下、単に接触を検出しなくなったときという）にＯｆｆとなる。本発明に適用できる第１の環状スイッチＳｗ１〜第３の環状スイッチＳｗ３としては、接触を検出することができるタッチセンサであればどのようなタッチセンサを用いてもよいが、一例として、静電容量式のタッチセンサが挙げられる。尚、本実施形態における第１の環状スイッチＳｗ１〜第３の環状スイッチＳｗ３が検出する主な接触としては、使用者がこれらのスイッチを操作しようとするときに発生する指、又は、手の接触が一例として挙げられる。
【００２９】
本実施形態では、図２に示す操作部１０１によって操作できる車載装置として、ワイパー装置１０５及びライト装置１０６の２つを仮に想定している。そして、本実施形態では、図２に示すように、ライト装置１０６を操作するためのスイッチとして第３の環状スイッチＳｗ３が設けられている。また、本実施形態では、図２に示すように、ワイパー装置１０５を操作するためのスイッチとして第２の環状スイッチＳｗ２が設けられている。そして、さらなる操作性の向上のために、ワイパー装置１０５のＡＵＴＯモード時、又は、ＩＮＴモード時の少なくともいずれか一方における動作速度のみを操作するスイッチとして第１の環状スイッチＳｗ１が設けられている。すなわち、本実施形態に係る環状スイッチには、操作できる車載装置がそれぞれ予め対応付けられている。ただし、操作性の向上のために、上述したように車載装置の一部の機能（本実施形態では、ワイパーの動作速度）のみを環状スイッチに割り当ててもよい。
【００３０】
さらに、本実施形態では、ライト装置１０６に含まれる操作対象として、ライトとフォグランプとの２つを仮に想定している。また、本実施形態では、ワイパー装置１０５に含まれる操作対象として、フロントワイパー、リアワイパー及びウォッシャーの３つを仮に想定している。本実施形態に係る第１の環状スイッチＳｗ１〜第３の環状スイッチＳｗ３のそれぞれは、予め対応付けられている車載装置毎に上述した操作対象をそれぞれ操作できるように構成されている。
【００３１】
図２に示すように、第１の環状スイッチＳｗ１〜第３の環状スイッチＳｗ３は、レバーＲｂの長軸（中心軸ａ）と平行な方向の内、予め定められたスライド方向へ、予め定められた距離だけ、ニュートラル位置からスライド可能にそれぞれ取り付けられている。より具体的には、第１の環状スイッチＳｗ１は、図２に示すニュートラル位置Ｎ１とスライド位置Ｌ１とのそれぞれの位置へスライド可能に取り付けられている。また、第２の環状スイッチＳｗ２は、図２に示すニュートラル位置Ｎ２、スライド位置Ｌ２及びＲ２のそれぞれの位置へスライド可能に取り付けられている。また、第３の環状スイッチＳｗ３は、図２に示すニュートラル位置Ｎ３とスライド位置Ｌ３とのそれぞれの位置へスライド可能に取り付けられている。
【００３２】
そして、本実施形態では、第１の環状スイッチＳｗ１〜第３の環状スイッチＳｗ３が、それぞれの位置へスライドさせられることにより、それぞれの環状スイッチに予め対応付けられている操作対象の中からそれぞれの位置に対応付けられている操作対象が選択される。より具体的には、第１の環状スイッチＳｗ１が図２に示すニュートラル位置Ｎ１へスライドさせられることにより、操作対象としてフロントワイパーのＡＵＴＯモード時の動作速度が選択される。また、第１の環状スイッチＳｗ１が図２に示すスライド位置Ｌ１へスライドさせられることにより、操作対象としてリアワイパーのＩＮＴモード時の動作速度が選択される。
【００３３】
そして、第２の環状スイッチＳｗ２が図２に示すニュートラル位置Ｎ２へスライドさせられることにより、操作対象としてフロントワイパーが選択される。また、第２の環状スイッチＳｗ２が図２に示すスライド位置Ｌ２へスライドさせられることにより、操作対象としてリアワイパーが選択される。また、第２の環状スイッチＳｗ２が図２に示すスライド位置Ｒ２へスライドさせられることにより、操作対象としてウォッシャーが選択される。
【００３４】
そして、第３の環状スイッチＳｗ３が図２に示すニュートラル位置Ｎ３へスライドさせられることにより、操作対象としてライトが選択される。また、第３の環状スイッチＳｗ３が図２に示すスライド位置Ｌ３へスライドさせられることにより、操作対象としてフォグランプが選択される。尚、第３の環状スイッチＳｗ３のスライド位置Ｌ３へのスライドと、上述した押し込みスイッチＰｓの押し込みとは、それぞれ個別に行えるものとする。
【００３５】
次に、第１の環状スイッチＳｗ１〜第３の環状スイッチＳｗ３が、それぞれ生成する信号について説明する。第１の環状スイッチＳｗ１〜第３の環状スイッチＳｗ３は、それぞれ回転式のモーメンタリ式スイッチとして構成されている。回転式のモーメンタリ式スイッチとは、いずれかの回転方向に回転させられているときだけＯｎ状態となり、回転させられていないときにＯｆｆ状態となるスイッチのことである。そして、本実施形態に係る環状スイッチは、いずれかの回転方向に回転させられてＯｎ状態となっているときと、回転させられずにＯｆｆ状態となっているときとにおいてそれぞれ以下に述べる信号を生成する。
【００３６】
そして、第１の環状スイッチＳｗ１は、ニュートラル位置Ｎ１、又は、スライド位置Ｌ１において前方（上述したように操作レバーがステアリングコラムに取り付けられているときにおいて、車両の進行方向側）に回動させられたときは、前方に回動させられたことを示す前方回動信号Ｆｒ１を生成する。これに対して、第１の環状スイッチＳｗ１は、ニュートラル位置Ｎ１、又は、スライド位置Ｌ１において後方（上述したように操作レバーがステアリングコラムに取り付けられているときにおいて、運転者側）に回動させられたときは、後方に回動させられたことを示す後方回動信号Ｒｒ１を生成する。
【００３７】
また、第２の環状スイッチＳｗ２は、ニュートラル位置Ｎ２、スライド位置Ｌ２及びＲ２においてそれぞれ前方に回動させられたときは、前方に回動させられたことを示す前方回動信号Ｆｒ２をそれぞれ生成する。これに対して、第２の環状スイッチＳｗ２は、ニュートラル位置Ｎ２、スライド位置Ｌ２及びＲ２において後方に回動させられたときは、後方に回動させられたことを示す後方回動信号Ｒｒ２をそれぞれ生成する。
【００３８】
また、第３の環状スイッチＳｗ３は、ニュートラル位置Ｎ３、又は、スライド位置Ｌ３において前方に回動させられたときは、前方に回動させられたことを示す前方回動信号Ｆｒ３を生成する。これに対して、第３の環状スイッチＳｗ３は、ニュートラル位置Ｎ３、又は、スライド位置Ｌ３において後方に回動させられたときは、後方に回動させられたことを示す後方回動信号Ｒｒ３を生成する。
【００３９】
以上が、第１の環状スイッチＳｗ１〜第３の環状スイッチＳｗ３が、それぞれ生成する信号についての説明である。尚、これらの信号は、制御部１０２によって処理されるが、この処理の詳細については後述する。
【００４０】
尚、本実施形態では、第１の環状スイッチＳｗ１〜第３の環状スイッチＳｗ３は、それぞれニュートラル位置からスライドさせられている状態において、拘束力（上述した、接触による拘束力など）がなくなると、バネなどの弾性体の復元力により、自然にそれぞれのニュートラル位置に戻るものとする。以上が、本実施形態に係る操作部１０１の説明である。
【００４１】
次に、制御部１０２について説明をする。制御部１０２は、操作部１０１によって生成される信号に基づいて後述する動作モード値を処理し、当該動作モード値と後述する記憶テーブルとを参照して選択する動作モードを操作対象毎に特定する。そして、制御部１０２は、操作部１０１によって生成される信号に基づいて表示部１０４と車載装置（本実施形態では、ワイパー装置１０５及びライト装置１０６）とをそれぞれ操作する。尚、制御部１０２の具体的な制御処理については後述する。
【００４２】
次に、記憶部１０３について説明をする。本実施形態に係る記憶部１０３は、選択中の動作モードをそれぞれ動作モード値として記憶する。本実施形態に係る記憶部１０３が記憶する具体的な動作モード値としては、選択中のライトの動作モードを示すライトモード値Ｒｉ、フォグランプの動作モードを示すフォグモード値Ｆｏ、ウォッシャーの動作モードを示すウォッシャーモード値Ｗａ、フロントワイパーの動作モードを示すフロントワイパーモード値Ｗｉ、リアワイパーの動作モードを示すリアワイパーモード値Ｒｗ、フロントワイパーのＡＵＴＯモード時における動作速度を示すフロントワイパー速度値Ｗｖ、リアワイパーの間欠動作時（ＩＮＴモード時）における動作速度を示すリアワイパー速度値Ｒｖ等が挙げられる。
【００４３】
本実施形態に係る記憶部１０３は、図３に示すような記憶テーブルを記憶している。記憶部１０３が記憶している記憶テーブルは、上述した動作モード値と、操作対象のそれぞれの動作モードとを対応付けるための情報である。制御部１０２が、上述した動作モード値と記憶テーブルとを参照することで選択中の動作モードを操作対象毎に具体的に特定することができる。
【００４４】
本実施形態では、後述するように第１の環状スイッチＳｗ１〜第３の環状スイッチＳｗ３のそれぞれの回動方向と、当該環状スイッチが回動させられたときに選択される動作モードに対応する後述する動作モード画像の表示部１０４の表示画面上における表示位置とが対応付けられている。このため、記憶部１０３に記憶されている記憶テーブルは、この対応付けを考慮して作成しなければならない。本実施形態における記憶テーブルの作成の方法については、後述する。
【００４５】
また、記憶部１０３に記憶されている全ての動作モード値については、イグニッションキーがＯｎ又はＯｆｆされたときにゼロに初期化、すなわち、全ての操作対象がＯｆｆにされてもよいし、イグニッションキーがＯｆｆにされたときに現在選択されている全ての操作対象の動作モード値を不揮発性の記憶装置に記憶させてもよい。
【００４６】
次に、表示部１０４について説明をする。本実施形態に係る表示部１０４は、一例として、図４に示すように車両のインストルメントパネル内に備えられている。表示部１０４の表示画面には、車両の車速を示すスピードメーター、エンジンの回転数を示すタコメーター及び燃料の残量を示す燃料計などが表示される。しかし、これらの表示は、本発明の要旨とは関係ないため説明を省略し、表示部１０４の表示画面の表示領域の内、図４に示す操作画面表示領域内の表示について説明する。尚、表示部１０４は、表示画面の全てがＴＦＴ液晶表示装置などで構成されていてもよいし、スピードメーターやタコメーターなどは従来のアナログ式メーターであってもよい。しかしながら、上述した操作画面表示領域については、ＴＦＴ液晶表示装置などの画像表示装置で構成されるのが好ましい。
【００４７】
本実施形態に係る表示部１０４の操作画面表示領域には、上述した車載装置毎、又は、操作対象毎に対応した画面が表示される。そして、使用者は、表示部１０４の表示を見ながら操作部１０１を操作することによって車載装置の操作対象を操作することができる。
【００４８】
より詳細には、上述したように第２の環状スイッチＳｗ２及び第３の環状スイッチＳｗ３は、それぞれ車載装置として備えられているワイパー装置１０５及びライト装置１０６を操作するために設けられており、第１の環状スイッチＳｗ１は、ワイパー装置１０５の動作速度を操作するために設けられている。そして、第１の環状スイッチＳｗ１〜第３の環状スイッチＳｗ３が、接触を検出すると、それぞれのスイッチによって操作することのできる操作対象の操作画面が表示部１０４の表示画面に表示される。以下、本実施形態に係る表示部１０４の表示画面の一例として、第３の環状スイッチＳｗ３が接触を検出したときの表示画面について説明をする。
【００４９】
図５は、上述した第３の環状スイッチＳｗ３が接触を検出し、操作する車載装置としてライト装置１０６が選択されたときのライト操作画面を表示している表示部１０４の表示画面の一例を示す図である。図５に示す表示画面には、ライト装置１０６に含まれるライト及びフォグランプの２つの操作対象の動作モードをそれぞれ操作するための画像が表示されている。
【００５０】
より詳細には、図５に示す表示画面では、ライトのＯｆｆ、ＡＵＴＯモード、ＳＭＡＬＬモード及びロービームの４つの動作モード（機能グループ）にそれぞれ対応し、それぞれの動作モードを文字、又は、図柄で示す４つの動作モード画像が、表示画面の垂直方向に１列に配置されており、動作モード画像列を構成している。また、図５に示す表示画面では、フォグランプのＯｆｆ、フロントフォグランプＯｎ及びリアフォグランプＯｎの３つの動作モード（機能グループ）にそれぞれ対応し、それぞれの動作モード（機能グループ）を文字、又は、絵で示す３つの動作モード画像が、表示画面の垂直方向に１列に配置されており、動作モード画像列を構成している。つまり、本実施形態に係る表示部１０４の表示画面には、操作対象毎の動作モード（機能グループ）画像が、それぞれ動作モード画像列として１列に配置されて表示される。そして、図５に示すように、それぞれの動作モード画像列に対応する操作対象を文字で示す操作対象画像が、表示部１０４の表示画面におけるそれぞれの動作モード画像列の上方に表示される。尚、図５では、動作モード画像を表示画面の垂直方向に１列に配置したものを動作モード画像列としたが、それぞれの動作モード画像列の配置方向は水平方向であってもよいし、その他の任意の方向であってもよい。また、上述した操作対象画像は、必ずしも表示部１０４の表示画面上に表示しなくてもよい。
【００５１】
本実施形態に係る表示部１０４の表示画面では、図５に示すように現在選択されている操作対象の動作モード画像列の背景、すなわち、操作対象が有する全ての動作モードの動作モード画像の表示部１０４の表示画面上における表示領域を少なくとも含む領域がハイライト表示される（以下、このハイライト表示を、単に動作モード画像列をハイライト表示するという）。一方、現在選択されていない操作対象の動作モード画像列の背景は通常表示される。図５に示す例では、操作対象の１つであるライトの動作モード画像列の背景が、ハイライト表示されている。これにより、現在選択されている操作対象がライトであることを使用者が容易に理解できる。
【００５２】
本実施形態に係る表示部１０４の表示画面では、現在選択されている動作モードに対応する動作モード画像が、操作対象毎にそれぞれハイライト表示される。一方、現在選択されていない動作モード画像は通常表示される。図５に示す例では、現在選択されているライトの動作モードがＡＵＴＯモードであり、フォグランプの動作モードがリアフォグランプＯｎであることを示している。
【００５３】
本実施形態では、第１の環状スイッチＳｗ１〜第３の環状スイッチＳｗ３のそれぞれのスライド位置と表示部１０４の表示画面上における操作対象毎の動作モード画像列の表示位置とが対応付けられている。このため、表示部１０４の表示画面上には、現在選択されている操作対象とは異なる操作対象を選択するための環状スイッチのスライド方向と対応する方向を示すスライド方向画像が、図５に示すように表示される。
【００５４】
図５の例におけるスライド方向画像は、選択されている操作対象をライトからフォグランプにするための第３の環状スイッチＳｗ３のスライド方向を示している。上述したとおり、本実施形態では、第３の環状スイッチＳｗ３をニュートラル位置Ｎ３からスライド位置Ｌ３へ左方向（レバーＲｂの付け根方向）にスライドさせることにより操作対象としてフォグランプが選択される。このため、操作対象としてライトが選択されている時の図５に示す表示部１０４の表示画面上には左方向を示すスライド方向画像が、表示部１０４の表示画面においてライトの動作モード画像列と、フォグランプの動作モード画像列との間の上方、及び、下方に２つ表示される。尚、スライド方向画像の表示部１０４の表示画面における表示位置は、図５に示す表示位置に限られずその他の位置であってもよいし、２以外の数だけ表示してもよい。
【００５５】
また、本実施形態では、第１の環状スイッチＳｗ１〜第３の環状スイッチＳｗ３のそれぞれの回動方向と、これらのスイッチが回動させられることによって選択される動作モード画像の表示部１０４の表示画面上における選択方向とが予め対応付けられている。より具体的には、環状スイッチが前方に回動させられたときには、表示部１０４の表示画面上において、現在選択されている動作モードに対応する動作モード画像の上方向の位置に表示されている動作モード画像に対応する動作モードが選択される。一方、環状スイッチが後方に回動させられたときには、表示部１０４の表示画面上において、現在選択されている動作モードに対応する動作モード画像の下方向の位置に表示されている動作モード画像に対応する動作モードが選択される。
【００５６】
より詳細には、環状スイッチが、前方に回動させられたときは、回動させられる度に、表示部１０４の表示画面において、回動前に選択されていた動作モードに対応する動作モード画像より１つだけ上方向に表示されている動作モード画像に対応する動作モードが選択される。一方、環状スイッチが、後方に回動させられたときは、回動させられる度に、表示部１０４の表示画面において、回動前に選択されていた動作モードに対応する動作モード画像より１つだけ下方向に表示されている動作モード画像に対応する動作モードが選択される。
【００５７】
環状スイッチの回動方向と、動作モード画像の選択方向との対応付けについて、図５及び図６を参照しながらより具体的な説明をする。図６は、ライトの動作モードとしてＡＵＴＯモードが選択されているとき、すなわち、表示部１０４の表示画面に図５に示す表示がされているときに、第３の環状スイッチＳｗ３が後方に１度だけ回動させられた後の表示部１０４の表示画面を示す図である。図６に示すように、本実施形態では、第３の環状スイッチＳｗ３が１度だけ後方に回動させられることにより、選択されているライトの動作モードがＡＵＴＯモードからロービームモードに切り替えられる。また、同時にＡＵＴＯモードに対応する動作モード画像が通常表示され、ＳＭＡＬＬモードに対応する動作モード画像がハイライト表示される。このように、それぞれの環状スイッチの回動方向と、表示部１０４の表示画面上における動作モード画像の選択方向とを対応付けることで、使用者が手元を直接視認できなくとも、環状スイッチが誤った方向に回動させられることを防ぐことができる。
【００５８】
ここで、環状スイッチの回動方向と、動作モード画像の選択方向との対応付けを実現するための上述した記憶テーブルの作成の方法について具体的に説明する。本実施形態では、制御部１０２が、環状スイッチが前方に回動させられる度に生成される上述した前方回動信号を取得すると、選択されている操作対象の動作モード値を１だけインクリメントする。一方、制御部１０２が、環状スイッチが後方に回動させられる度に生成される上述した後方回動信号を取得すると、選択されている操作対象の動作モード値を１だけデクリメントする。このため、上述した記憶テーブルに記載される動作モード値は、１だけインクリメントされたときに、表示部１０４の表示画面において上方向に表示されている動作モード画像の動作モードが選択され、１だけデクリメントされたときに、表示部１０４の表示画面において下方向に表示されている動作モード画像の動作モードが選択されるように、動作モード値と動作モードとを対応付けて記載しなければならない。このため、図３に示す記憶テーブルに記載されている動作モード値は、操作対象毎に選択可能な動作モードの数だけ連続した整数値となっている。これが、上述した本実施形態における記憶テーブルの作成の方法である。
【００５９】
図７は、第２の環状スイッチＳｗ２が接触を検出し、スライド位置Ｒ２へスライドさせられたとき、すなわち、ワイパー装置１０５を操作するための環状スイッチが接触を検出し、操作対象としてウォッシャーが選択されたときのワイパー操作画面を表示している表示部１０４の表示画面を示す図である。本実施形態では、選択可能な操作対象の種類及び数やそれぞれの操作対象毎に表示される動作モード画像の数が異なる点以外は、どの環状スイッチが接触を検出したときでも、基本的に、上述した第３の環状スイッチＳｗ３が接触を検出したときと同様に、環状スイッチに予め対応付けられた車載装置を操作するための表示が表示部１０４の表示画面にされる。ただし、図７に示すように選択可能な操作対象が３つ以上存在することにより動作モード画像列が３列以上表示され、現在選択されている操作対象に対応する動作モード画像列の表示位置から同じ方向に２以上の動作モード画像列が表示されているときにおいて、２以上離れた位置に表示されている動作モード画像列に対応する操作対象を選択するために必要な環状スイッチのスライド回数に応じた数のスライド方向画像を連結して表示してもよい。
【００６０】
図７では、一例として、操作対象としてウォッシャーが選択されているときにおいて、操作対象としてリアワイパーを選択するためには第２の環状スイッチＳｗ２を２度スライドさせる必要がある、すなわち、スライド位置Ｒ２からニュートラル位置Ｎ２へスライドさせた後、さらに、ニュートラル位置Ｎ２からスライド位置Ｌ２へスライドさせる必要があることを示す２つのスライド方向画像を連結した表示がされている。
【００６１】
図８は、第１の環状スイッチＳｗ１が接触を検出し、表示部１０４の表示画面にワイパー速度調整画面が表示されたときの表示画面を示す図である。本実施形態では、第１の環状スイッチＳｗ１が接触を検出したときには、表示部１０４の表示画面に表示される動作モード画像が、他の環状スイッチが接触を検出したときに表示される表示画面に表示される動作モード画像と異なる。
【００６２】
より詳細には、第１の環状スイッチＳｗ１が接触を検出すると、図８に示すように現在選択されているフロントワイパーのＡＵＴＯモード時の動作速度及びリアワイパーのＩＮＴモード時の動作速度を、それぞれハイライト表示される動作モード画像の数で示す動作モード画像列が、フロントワイパーの動作速度及びリアワイパーの動作速度のそれぞれの操作対象に応じて表示される。図８に示す例では、フロントワイパーのＡＵＴＯモード時の動作速度が“３”であり、リアワイパーのＩＮＴモード時の動作速度が“２”であるときの表示部１０４の表示画面を示す。また、図８に示す例では、フロントワイパー速度及びリアワイパー速度がそれぞれ増速するにつれて、表示部１０４の表示画面において下方に表示されている動作モード画像から上方に表示されている動作モード画像が順番にハイライト表示される。
【００６３】
ただし、図８に示すワイパー速度調整画面においても、環状スイッチの回動方向と動作モード画像の選択方向との対応付け、及び、環状スイッチのスライド位置と表示部１０４の表示画面上における操作対象毎の動作モード画像列の表示位置との対応付けは、図５の説明で述べたライト調整画面と同様である。
【００６４】
より具体的には、図８に示す表示がされているとき、すなわち、操作対象であるフロントワイパーのＡＵＴＯモード時の速度として“３”が選択されているときに、第１の環状スイッチＳｗ１が後方に１度だけ回動させられたときは、フロントワイパーのＡＵＴＯモード時の動作速度として“２”が選択され、フロントワイパーの動作速度に対応する動作モード画像列に含まれる動作モード画像の内、表示部１０４の表示画面における最も下方から２番目までに表示されている動作モード画像、すなわち、図８においてハイライト表示されている動作モード画像の１つ下方に表示されている動作モード画像までがハイライト表示される。一方、フロントワイパーの動作速度として、“２”が選択されたときは、フロントワイパーの動作速度に対応する動作モード画像列に含まれる動作モード画像の内、表示部１０４の表示画面における下方から２番目までに表示されている動作モード画像以外の動作モード画像は通常表示される。
【００６５】
また、操作対象であるリアワイパーの動作速度として“２”が選択されているときに、第１の環状スイッチＳｗ１が前方に１度だけ回動させられたときは、リアワイパーのＩＮＴモード時の動作速度として“３”が選択され、リアワイパーの動作速度に対応する動作モード画像列に含まれる動作モード画像の内、表示部１０４の表示画面における最も下方から３番目までに表示されている動作モード画像、すなわち、図８においてハイライト表示されている動作モード画像の１つ上方に表示されている動作モード画像までがハイライト表示される。そして、リアワイパーの動作速度として、“３”が選択されたときは、リアワイパーの速度に対応する動作モード画像列に含まれる動作モード画像の内、表示部１０４の表示画面における最も下方から３番目までに表示されている動作モード画像以外の動作モード画像は通常表示される。
【００６６】
以上、図７及び図８をそれぞれ参照しながら、ワイパー操作画面及びワイパー速度調整画面の説明を個別にした。尚、図９に示すように、ワイパー操作画面において、図８に示すワイパー速度調整画面を併せて操作画面表示領域に表示してもよい。ただし、図９に示す表示をするときは、ワイパー速度は調整しないため、フロントワイパー速度及びリアワイパー速度の操作対象に対応する動作モード画像列はハイライト表示をしなくてもよい。
【００６７】
また、本実施形態では、上述したワイパー速度調整画面、ワイパー操作画面及びライト操作画面のそれぞれの画面を操作画面表示領域に表示するときに、図１０に示すように、環状スイッチを備える操作レバーを模した操作レバー画像を同時に操作画面表示領域に表示してもよい。図１０は、上述したワイパー速度調整画面、ワイパー操作画面及びライト操作画面のそれぞれの画面の内、一例として、ライト操作画面と操作レバー画像とを同時に須佐画面表示領域に表示している表示部１０４の表示画面を示す図である。さらに、本実施形態において、操作画面表示領域に表示された操作レバー画像の内、接触を検出している環状スイッチに対応する表示部１０４の表示画面上の領域をハイライト表示してもよい。また、表示部１０４の表示画面上に操作レバー画像を表示しているときにおいて、上述したスライド方向画像を操作レバー画像の上方、及び、下方にそれぞれ表示してもよい。また、表示部１０４の表示画面上に操作レバー画像とスライド方向画像とを表示しているときにおいて、当該スライド方向画像と対応する方向に環状スイッチをスライドさせることによって選択される操作対象を文字で示す選択可能操作対象画像を操作レバー画像の上方に表示してもよい。図１０は、一例として、操作レバー画像の上方、及び、下方にスライド方向画像をそれぞれ表示し、上述した選択可能操作対象画像としてフォグランプを選択することが可能であることを示す線多雨可能操作対象画像を表示している表示部１０４の表示画面上の表示を示す。
【００６８】
以上が、本実施形態に係る表示部１０４の表示画面の説明である。尚、図５に示すライト操作画面の説明では、本実施形態の表示部１０４の表示画面の基本的な説明をするために、スライド方向画像、操作対象画像、ハイライト表示（操作対象、動作モード、動作モード画像列）及び動作モード画像などにそれぞれ個別に引き出し線を付して説明をしたが、これらの画像及び表示形態は同様であるため、図６、図７、図８、図９及び図１０ではこれらの説明を省略している。また、ハイライト表示とは、現在選択されている動作モードに対応する動作モード画像や操作対象に対応する動作モード画像列を通常表示とは異なる表示にして、選択されている動作モードや操作対象を使用者にとって分かり易く強調して表示することである。
【００６９】
次に、ワイパー装置１０５及びライト装置１０６の説明をする。本実施形態では、上述したように車載装置として、ワイパー装置１０５及びライト装置１０６の２つの装置のみを仮に想定している。また、本実施形態において、ワイパー装置１０５に含まれる操作対象としては、フロントワイパー、リアワイパー及びウォッシャーの３種類の操作対象を仮に想定している。また、本実施形態において、ライト装置１０６に含まれる操作対象としては、ライト及びフォグランプの２種類の操作対象を仮に想定している。そして、これらの車載装置、又は、操作対象は、操作部１０１によって生成される信号に基づく制御部１０２の処理によって操作される。
【００７０】
尚、本実施形態に係る操作装置１０が備える車載装置は、ワイパー装置１０５及びライト装置１０６の２つに限られるものではなく、パワーウインド装置やシート調整装置など様々な車載装置を備えていてもよい。また、ワイパー装置１０５に含まれる操作対象は、フロントワイパー、リアワイパー及びウォッシャーの３種類に必ずしも限られるものではなく、ワイパー装置１０５に含まれると考えられる操作対象であればどのような操作対象を含めてもよい。これは、ライト装置１０６を含む他の車載装置についても同様である。以上が、本実施形態における操作装置１０を構成する各構成要素の説明である。
【００７１】
次に、上記のように構成される操作装置１０に含まれる制御部１０２の本実施形態における具体的な処理についてフローチャートを参照しながら説明をする。尚、本実施形態の説明において示す全てのフローチャートの処理の開始時点では、記憶部１０３に記憶されている現在選択されている全ての操作対象の動作モード値がゼロであるものとして説明をする。
【００７２】
図１１のフローチャートは、本実施形態に係る制御部１０２が、操作部１０１が備えている第１の環状スイッチＳｗ１〜第３の環状スイッチＳｗ３及び押し込みスイッチＰｓのいずれかのスイッチがＯｎになったか否かを判断して、Ｏｎとなったスイッチに応じて上述したワイパー操作画面、ワイパー速度調整画面及びライト操作画面のいずれかの画面を表示する処理を示す。
【００７３】
ステップＳ１１において、制御部１０２は、第１の環状スイッチＳｗ１が接触を検出してＯｎになったか否かを判断する。制御部１０２は、ステップＳ１１において、第１の環状スイッチＳｗ１がＯｎになったと判断したとき、ステップＳ１００へ処理を進める。一方、制御部１０２は、第１の環状スイッチＳｗ１がＯｎになっていないと判断したとき、ステップＳ１２へ処理を進める。
【００７４】
ステップＳ１２において、制御部１０２は、第２の環状スイッチＳｗ２が接触を検出してＯｎになったか否かを判断する。制御部１０２は、ステップＳ１２において、第２の環状スイッチＳｗ２がＯｎになったと判断したとき、ステップＳ２００へ処理を進める。一方、制御部１０２は、第２の環状スイッチＳｗ２がＯｎになっていないと判断したとき、ステップＳ１３へ処理を進める。
【００７５】
ステップＳ１３において、制御部１０２は、第３の環状スイッチＳｗ３が接触を検出してＯｎになったか否かを判断する。制御部１０２は、ステップＳ１３において、第３の環状スイッチＳｗ３がＯｎになったと判断したとき、ステップＳ３００へ処理を進める。一方、制御部１０２は、第３の環状スイッチＳｗ３がＯｎになっていないと判断したとき、ステップＳ１４へ処理を進める。
【００７６】
ステップＳ１４において、制御部１０２は、押し込みスイッチＰｓが押し込まれてＯｎになったか否かを判断する。制御部１０２は、ステップＳ１４において、押し込みスイッチＰｓがＯｎになったと判断したとき、ステップＳ４００へ処理を進める。一方、制御部１０２は、押し込みスイッチＰｓがＯｎになっていないと判断したとき、図１１に示す処理をステップＳ１１から繰り返す。
【００７７】
ステップＳ１００において、制御部１０２は、ワイパー速度調整処理を開始する。このワイパー速度調整処理の詳細については、後述する。制御部１０２は、ステップＳ１００のワイパー速度調整処理を完了すると、図１１のフローチャートに示す処理をステップＳ１１から繰り返す。
【００７８】
ステップＳ２００において、制御部１０２は、ワイパー操作処理を開始する。このワイパー操作処理の詳細については、後述する。制御部１０２は、ステップＳ２００のワイパー操作処理を完了すると、図１１に示す処理をステップＳ１１から繰り返す。
【００７９】
ステップＳ３００において、制御部１０２は、ライト操作処理を開始する。このライト操作処理の詳細については、後述する。制御部１０２は、ステップＳ３００のライト操作処理を完了すると、図１１に示す処理をステップＳ１１から繰り返す。
【００８０】
ステップＳ４００において、制御部１０２は、押し込みスイッチ処理を開始する。この押し込みスイッチ処理の詳細については、後述する。制御部１０２は、ステップＳ４００の押し込みスイッチ処理を完了すると、図１１に示す処理をステップＳ１１から繰り返す。
【００８１】
次に、ステップＳ１００における制御部１０２のワイパー速度調整処理について具体的に説明する。図１２及び図１３は、上述したステップＳ１００における制御部１０２のワイパー速度調整処理の具体的な処理を示すフローチャートである。
【００８２】
ステップＳ１０１において、制御部１０２は、記憶部１０３に記憶されているフロントワイパー速度値Ｗｖ及びリアワイパー速度値Ｒｖを取得する。これらの値は、制御部１０２がステップＳ１０１の処理をするときに選択されているそれぞれの動作速度を示す値である。
【００８３】
ステップＳ１０２において、制御部１０２は、上述したワイパー速度調整画面を表示部１０４の表示画面に表示させる。ステップＳ１０３において、制御部１０２は、ステップＳ１０１において取得したフロントワイパー速度値Ｗｖ及びリアワイパー速度値Ｒｖに対応する動作モードを図３に示す記憶テーブルを参照して特定し、特定した動作モードに対応する動作モード画像をそれぞれ表示部１０４にハイライト表示させる指示をする。ステップＳ１０４において、制御部１０２は、ステップＳ１０４の処理をするときに選択されている操作対象に基づいて、選択可能な他の操作対象、すなわち、第１の環状スイッチＳｗ１の現在の位置からスライド可能な位置に対応する操作対象を特定する。そして、制御部１０２は、現在選択されている操作対象に対応する動作モード画像列に対する、特定した操作対象に対応する動作モード画像列の表示位置の方向を示す上述したスライド方向画像を表示部１０４に表示させる指示をする。ステップＳ１０５において、制御部１０２は、ステップＳ１０５の処理をするときの第１の環状スイッチＳｗ１のスライド位置に基づいて、現在選択されている操作対象に対応する動作モード画像列を表示部１０４にハイライト表示させる指示をする。
【００８４】
ステップＳ１０６において、制御部１０２は、第１の環状スイッチＳｗ１が、何らかの動きをしたか、すなわち、いずれかの方向に回動させられることにより前方回動信号Ｆｒ１及び後方回動信号Ｒｒ１のいずれかが生成されたか、又は、いずれかの位置にスライドさせられたかを判断する。制御部１０２は、ステップＳ１０６において、第１の環状スイッチＳｗ１が何らかの動きをしたと判断したとき、ステップＳ１０７へ処理を進める。一方、制御部１０２は、ステップＳ１０６において、第１の環状スイッチＳｗ１が何らかの動きをしていないと判断したとき、ステップＳ１２０へ処理を進める。
【００８５】
ステップＳ１０７において、制御部１０２は、第１の環状スイッチＳｗ１がスライド位置Ｌ１にあるか否かを判断する。制御部１０２は、ステップＳ１０７において、第１の環状スイッチＳｗ１がスライド位置Ｌ１にあると判断したとき、ステップＳ１０８へ処理を進める。一方、制御部１０２は、ステップＳ１０７において、第１の環状スイッチＳｗ１がスライド位置Ｌ１にないと判断したとき、ステップＳ１２１へ処理を進める。
【００８６】
ステップＳ１０８において、制御部１０２は、第１の環状スイッチＳｗ１によって前方回動信号Ｆｒ１が生成されたか否か、すなわち、ステップＳ１０６における第１の環状スイッチＳｗ１の動きが前方回動であるか否かを判断する。制御部１０２は、ステップＳ１０８において、前方回動信号Ｆｒ１が生成されたと判断したとき、すなわち、第１の環状スイッチＳｗ１が前方に１度だけ回動させられたと判断したとき、ステップＳ１０９へ処理を進める。一方、制御部１０２は、ステップＳ１０８において、第１の環状スイッチＳｗ１によって前方回動信号Ｆｒ１が生成されていないと判断したとき、すなわち、第１の環状スイッチＳｗ１が前方に回動させられていないと判断したとき、ステップＳ１１２へ処理を進める。
【００８７】
ステップＳ１０９において、制御部１０２は、記憶部１０３に記憶されているリアワイパー速度値Ｒｖを１だけインクリメントする。ステップＳ１１０において、制御部１０２は、ステップＳ１０９におけるインクリメント後のリアワイパー速度値Ｒｖが６以上か否かを判断する。制御部１０２は、ステップＳ１１０において、リアワイパー速度値Ｒｖが６以上であると判断したとき、ステップＳ１１１へ処理を進める。一方、制御部１０２は、ステップＳ１１０において、リアワイパー速度値Ｒｖが６以上でないと判断したとき、ステップＳ１１６へ処理を進める。
【００８８】
ステップＳ１１１において、制御部１０２は、記憶部１０３に記憶されているリアワイパー速度値Ｒｖを５に更新する。制御部１０２が、ステップＳ１１０〜Ｓ１１１の処理をすることにより、ステップＳ１０９におけるインクリメント後のリアワイパー速度値Ｒｖが、記憶部１０３に記憶されている記憶テーブルにリアワイパー速度値として記載されている最大の値（図３に示す例では、“５”）を越えないようにすることができる。したがって、制御部１０２が、記憶テーブルに記載されていない値に対応する動作モードで操作対象（ここでは、リアワイパー速度）を動作させようとすることを防ぐことができる。
【００８９】
ステップＳ１１２において、制御部１０２は、第１の環状スイッチＳｗ１によって後方回動信号Ｒｒ１が生成されたか否か、すなわち、ステップＳ１０６における第１の環状スイッチＳｗ１の動きが後方回動であるか否かを判断する。制御部１０２は、ステップＳ１１２において、後方回動信号Ｒｒ１が生成されたと判断したとき、すなわち、第１の環状スイッチＳｗ１が後方に１度だけ回動させられたと判断したとき、ステップＳ１１３へ処理を進める。一方、制御部１０２は、ステップＳ１１２において、第１の環状スイッチＳｗ１によって後方回動信号Ｒｒ１が生成されていないと判断したとき、すなわち、第１の環状スイッチＳｗ１が後方に回動させられていないと判断したとき、ステップＳ１０４へ処理を進める。
【００９０】
ステップＳ１１３において、制御部１０２は、記憶部１０３に記憶されているリアワイパー速度値Ｒｖを１だけデクリメントする。ステップＳ１１４において、制御部１０２は、ステップＳ１１３の処理におけるデクリメント後のリアワイパー速度値Ｒｖが１未満であるか否かを判断する。制御部１０２は、ステップＳ１１４において、リアワイパー速度値Ｒｖが１未満であると判断したとき、ステップＳ１１５へ処理を進める。一方、制御部１０２は、ステップＳ１１４において、リアワイパー速度値Ｒｖが１未満でないと判断したとき、ステップＳ１１６へ処理を進める。ステップＳ１１５において、制御部１０２は、記憶部１０３に記憶されているリアワイパー速度値Ｒｖを１に更新する。制御部１０２が、ステップＳ１１４〜Ｓ１１５の処理をすることにより、ステップＳ１１３の処理におけるデクリメント後のリアワイパー速度値Ｒｖが、上述した記憶テーブルにリアワイパー速度値として記載されている最小の値（図３に示す例では、１）を下回らないようにすることができる。したがって、制御部１０２が、記憶部１０３の記憶テーブルに記憶されていない値に対応する動作モードで操作対象（ここでは、リアワイパー速度）を動作させようとすることを防ぐことができる。
【００９１】
ステップＳ１１６において、制御部１０２は、記憶部１０３に記憶されているリアワイパー速度値Ｒｖに対応するリアワイパーの動作速度を上述した記憶テーブルを参照して特定し、表示部１０４の表示画面に表示されているリアワイパー速度の動作モード画像の内、最も下方に表示されている動作モード画像から特定したリアワイパー速度に対応する動作モード画像までの全ての動作モード画像を表示部１０４にハイライト表示させる指示をする。ステップＳ１１７において、制御部１０２は、ステップＳ１１６の処理をする前にハイライト表示をしていたリアワイパーの動作速度の動作モード画像を表示部１０４に通常表示させる指示をする。
【００９２】
ステップＳ１１８において、制御部１０２は、第１の環状スイッチＳｗ１が接触を検出しているか否かを判断する。制御部１０２は、ステップＳ１１８において、第１の環状スイッチＳｗ１が接触を検出していると判断したとき、ステップＳ１０４へ処理を戻す。一方、制御部１０２は、ステップＳ１１８において、第１の環状スイッチＳｗ１が接触を検出していないと判断したとき、ステップＳ１１９へ処理を進める。ステップＳ１１９において、制御部１０２は、記憶部１０３に記憶されているフロントワイパー速度値Ｗｖ及びリアワイパー速度値Ｒｖに対応するフロントワイパーのＡＵＴＯモード時の動作速度及びリアワイパーのＩＮＴモード時の動作速度を上述した記憶テーブルを参照してそれぞれ特定する。そして、フロントワイパーがＡＵＴＯモードで動作中であるときは、フロントワイパーを特定した動作速度で動作させる指示をワイパー装置１０５にする。これに対して、フロントワイパーがＡＵＴＯモードで動作中でないときは、記憶部１０３に記憶されているフロントワイパー速度値Ｗｖを記憶部１０３にそのまま保持させておく。また、リアワイパーがＩＮＴモードで動作中であるときは、リアワイパーを特定した動作速度で動作させる指示をワイパー装置１０５にする。これに対して、リアワイパーがＩＮＴモードで動作中でないときは、記憶部１０３に記憶されているリアワイパー速度値Ｒｖを記憶部１０３にそのまま保持させておく。ステップＳ１２０において、制御部１０２は、表示部１０４の表示画面の表示を消去する指示を表示部１０４にする。
【００９３】
続いて、図１３のフローチャートを参照しながら、制御部１０２のステップＳ１２１以降の処理について説明する。ステップＳ１２１において、制御部１０２は、ステップＳ１０８と同様の処理をする。そして、制御部１０２は、ステップＳ１２１において、第１の環状スイッチＳｗ１が前方回動されたと判断したとき、ステップＳ１２２へ処理を進める。一方、制御部１０２は、ステップＳ１２１において、第１の環状スイッチＳｗ１が前方回動されていないと判断したとき、ステップＳ１２５へ処理を進める。
【００９４】
ステップＳ１２２において、制御部１０２は、記憶部１０３に記憶されているフロントワイパー速度値Ｗｖを１だけインクリメントする。ステップＳ１２３において、制御部１０２は、ステップＳ１２２におけるインクリメント後のフロントワイパー速度値Ｗｖが６以上か否かを判断する。制御部１０２は、ステップＳ１２３において、フロントワイパー速度値Ｗｖが６以上であると判断したとき、ステップＳ１２４へ処理を進める。一方、制御部１０２は、ステップＳ１２３において、フロントワイパー速度値Ｗｖが６以上でないと判断したとき、ステップＳ１２９へ処理を進める。
【００９５】
ステップＳ１２４において、制御部１０２は、記憶部１０３に記憶されているフロントワイパー値Ｗｖを５に更新する。この理由は、上述したステップＳ１１０〜Ｓ１１１の処理をする理由と同様である。ステップＳ１２５において、制御部１０２は、ステップＳ１１２と同様の処理をする。そして、制御部１０２は、ステップＳ１２５において、第１の環状スイッチＳｗ１が後方回動されたと判断したとき、ステップＳ１２２へ処理を進める。一方、制御部１０２は、ステップＳ１２５において、第１の環状スイッチＳｗ１が後方回動されていないと判断したとき、ステップＳ１２５へ処理を進める。
【００９６】
ステップＳ１２６において、制御部１０２は、記憶部１０３に記憶されているフロントワイパー値Ｗｖを１だけデクリメントする。ステップＳ１２７において、制御部１０２は、ステップＳ１２６におけるデクリメント後のフロントワイパー速度値Ｗｖが１未満であるか否かを判断する。制御部１０２は、ステップＳ１２７において、フロントワイパー速度値Ｗｖが１未満であると判断したとき、ステップＳ１２８へ処理を進める。一方、制御部１０２は、ステップＳ１２７において、フロントワイパー速度値Ｗｖが１未満でないと判断したとき、ステップＳ１２９へ処理を進める。ステップＳ１２８において、制御部１０２は、記憶部１０３に記憶されているフロントワイパー速度値Ｗｖを１に更新する。制御部１０２が、ステップＳ１２７〜Ｓ１２８の処理をする理由は、上述したステップＳ１１４〜Ｓ１１５の処理をする理由と同様である。
【００９７】
ステップＳ１２９において、制御部１０２は、記憶部１０３に記憶されているフロントワイパー速度値Ｗｖに対応するフロントワイパー速度を上述した記憶テーブルを参照して特定し、表示部１０４の表示画面に表示されているフロントワイパー速度の動作モード画像の内、最も下方に表示されている動作モード画像から特定したフロントワイパー速度に対応する動作モード画像までの全ての動作モード画像を表示部１０４にハイライト表示させる指示をする。ステップＳ１３０において、制御部１０２は、ステップＳ１２９の処理においてハイライト表示させた動作モード画像以外のワイパー速度に対応する動作モード画像を表示部１０４に通常表示させる指示をする。
【００９８】
次に、制御部１０２のワイパー操作処理について具体的に説明する。図１４〜図１６は、上述したステップＳ２００におけるワイパー操作処理の具体的な処理を示すフローチャートである。
【００９９】
ステップＳ２０１において、制御部１０２は、記憶部１０３に記憶されているウォッシャーモード値Ｗａ、ワイパーモード値Ｗｉ、リアワイパーモード値Ｒｗ、ワイパー速度値Ｗｖ及びリアワイパー速度値Ｒｖを取得する。ステップＳ２０２において、制御部１０２は、上述したワイパー操作画面を表示部１０４に表示させる。また、本実施形態では、上述したようにワイパー操作画面と併せてワイパー速度画面もステップＳ２０２において表示部１０４の表示画面の操作画面表示領域に表示させるものとする。
【０１００】
ステップＳ２０３において、制御部１０２は、ステップＳ２０１において取得した値にそれぞれ対応する操作対象の動作モードを上述した記憶テーブルを参照して特定し、特定した動作モード値に対応する動作モード画像をそれぞれ表示部１０４にハイライト表示させる指示をする。ステップＳ２０４において、制御部１０２は、ステップＳ２０４をするときに選択されている操作対象、すなわち、第２の環状スイッチＳｗ２のスライド位置に基づいて、ステップＳ１０４と同様の処理をして、上述したスライド方向画像を表示部１０４の表示画面上に表示させる指示をする。ステップＳ２０５において、制御部１０２は、ステップＳ２０５の処理をするときの第２の環状スイッチＳｗ２のスライド位置に基づいて現在選択されている操作対象を特定し、特定した操作対象に対応する動作モード画像列を表示部１０４にハイライト表示させる指示をする。
【０１０１】
ステップＳ２０６において、制御部１０２は、第２の環状スイッチＳｗ２について、ステップＳ１０６と同様の判断をする。制御部１０２は、ステップＳ２０６において、第２の環状スイッチが何らかの動きをしたと判断したとき、ステップＳ２０７へ処理を進める。一方、制御部１０２は、ステップＳ２０６において、第２の環状スイッチＳｗ２が何らかの動きをしていないと判断したとき、ステップＳ２１８へ処理を進める。
【０１０２】
ステップＳ２０７において、制御部１０２は、第２の環状スイッチＳｗ２がスライド位置Ｌ２にあるか否かを判断する。制御部１０２は、ステップＳ２０７において、第２の環状スイッチＳｗ２がスライド位置Ｌ２にあると判断したとき、ステップＳ２０８へ処理を進める。一方、制御部１０２は、ステップＳ２０７において、第２の環状スイッチＳｗ２がスライド位置Ｌ２にないと判断したとき、ステップＳ２２１へ処理を進める。
【０１０３】
ステップＳ２０８において、制御部１０２は、第２の環状スイッチＳｗ２によって前方回動信号Ｆｒ２が生成されたか否か、すなわち、ステップＳ２０６における第２の環状スイッチＳｗ２の動きが前方回動であるか否かを判断する。制御部１０２は、ステップＳ２０８において、前方回動信号Ｆｒ２が生成されたと判断したとき、すなわち、第２の環状スイッチＳｗ２が前方に１度だけ回動させられたと判断したとき、ステップＳ２０９へ処理を進める。一方、制御部１０２は、ステップＳ２０８において、第２の環状スイッチＳｗ２によって前方回動信号Ｆｒ２が生成されていないと判断したとき、すなわち、第２の環状スイッチＳｗ２が前方に回動させられていないと判断したとき、ステップＳ２１２へ処理を進める。
【０１０４】
ステップＳ２０９において、制御部１０２は、記憶部１０３に記憶されているリアワイパーモード値Ｒｗを１だけインクリメントする。ステップＳ２１０において、制御部１０２は、ステップＳ２１０におけるインクリメント後のリアワイパーモード値Ｒｗが３以上か否かを判断する。制御部１０２は、ステップＳ２１０において、リアワイパーモード値Ｒｗが３以上であると判断したとき、ステップ２１１へ処理を進める。一方、制御部１０２は、ステップＳ２１０において、リアワイパーモード値Ｒｗが３以上でないと判断したとき、ステップＳ２１６へ処理を進める。
【０１０５】
ステップＳ２１１において、制御部１０２は、記憶部１０３に記憶されているリアワイパーモード値Ｒｗを２に更新する。制御部１０２が、ステップＳ２１０〜Ｓ２１１の処理をすることにより、ステップＳ２０９の処理におけるインクリメント後のリアワイパーモード値Ｒｗが、上述した記憶テーブルにリアワイパーモード値として記憶されている最大の値を超えないようにすることができる。
【０１０６】
ステップＳ２１２において、制御部１０２は、第２の環状スイッチＳｗ２によって後方回動信号Ｒｒ２が生成されたか否か、すなわち、ステップＳ２０６における第２の環状スイッチＳｗ２の動きが後方回動であるか否かを判断する。制御部１０２は、ステップＳ２１２において、後方回動信号Ｒｒ２が生成されたと判断したとき、すなわち、第２の環状スイッチＳｗ２が後方に１度だけ回動させられたと判断したとき、ステップＳ２１３へ処理を進める。一方、制御部１０２は、ステップＳ２１２において、第２の環状スイッチＳｗ２によって後方回動信号Ｒｒ２が生成されていないと判断したとき、すなわち、第２の環状スイッチＳｗ２が後方に回動させられていないと判断したとき、ステップＳ２１８へ処理を進める。
【０１０７】
ステップＳ２１３において、制御部１０２は、記憶部１０３に記憶されているリアワイパーモード値Ｒｗを１だけデクリメントする。ステップＳ２１４において、制御部１０２は、ステップＳ２１３の処理におけるデクリメント後のリアワイパーモード値Ｒｗが０未満であるか否かを判断する。制御部１０２は、ステップＳ２１４において、リアワイパーモード値Ｒｗが０未満であると判断したとき、ステップＳ２１５へ処理を進める。一方、制御部１０２は、ステップＳ２１４において、リアワイパーモード値Ｒｗが０未満でないと判断したとき、ステップＳ２１６へ処理を進める。ステップＳ２１５において、制御部１０２は、記憶部１０３に記憶されているリアワイパーモード値Ｒｗを０に更新する。制御部１０２が、ステップＳ２１４〜Ｓ２１５の処理をすることにより、ステップＳ２１３の処理におけるデクリメント後のリアワイパーモード値Ｒｗが上述した記憶テーブルにリアワイパーモード値として記憶されている最小の値を下回らないようにすることができる。
【０１０８】
ステップＳ２１６において、制御部１０２は、記憶部１０３に記憶されているリアワイパーモード値Ｒｗに対応するリアワイパーの動作モードを上述した記憶テーブルを参照して特定し、特定したリアワイパーの動作モードに対応する動作モード画像を表示部１０４にハイライト表示させる指示をする。ステップＳ２１７において、制御部１０２は、ステップＳ２１６の処理をする前にハイライト表示をさせていたリアワイパーの動作モードに対応する動作モード画像を表示部１０４に通常表示させる指示をする。
【０１０９】
ステップＳ２１８において、制御部１０２は、第２の環状スイッチＳｗ２が接触を検出しているか否かを判断する。制御部１０２は、ステップＳ２１８において、第２の環状スイッチＳｗ２が接触を検出していると判断したとき、ステップＳ２０４へ処理を戻す。一方、制御部１０２は、ステップＳ２１８において、第２の環状スイッチＳｗ２が接触を検出していないと判断したとき、ステップＳ２１９へ処理を進める。ステップＳ２１９において、制御部１０２は、第２の環状スイッチＳｗ３によって生成されているワイパーモード値Ｗｉ及びリアワイパーモード値Ｒｗに対応するフロントワイパー及びリアワイパーの動作モードを上述した記憶テーブルを参照してそれぞれ特定し、特定した動作モードでフロントワイパー及びリアワイパーをそれぞれ動作させる指示をワイパー装置１０５にする。このとき、フロントワイパーの動作モードが、ＡＵＴＯモードであるときは、フロントワイパー速度値Ｗｖに対応するフロントワイパー速度でフロントワイパーを動作させる指示をワイパー装置１０５にさらにする。また、リアワイパーの動作モードが、ＩＮＴモードであるときは、リアワイパー速度値Ｒｖに対応するリアワイパー速度でリアワイパーを動作させる指示をワイパー装置１０５にさらにする。ステップＳ２２０において、制御部１０２は、表示部１０４の表示画面の表示を消去する指示を表示部１０４にする。
【０１１０】
続いて、図１５を参照しながら、制御部１０２のステップＳ２２１以降の処理について説明する。ステップＳ２２１において、制御部１０２は、第２の環状スイッチＳｗ２が、スライド位置Ｒ２にスライドさせられているか否かを判断する。制御部１０２は、ステップＳ２２１において、第２の環状スイッチＳｗ２が、スライド位置Ｒ２にスライドさせられていると判断したとき、ステップＳ２２２へ処理を進める。一方、制御部１０２は、ステップＳ２２１において、第２の環状スイッチＳｗ２が、スライド位置Ｒ２にスライドさせられていないと判断したとき、ステップＳ２３６へ処理を進める。
【０１１１】
ステップＳ２２２において、制御部１０２は、ステップＳ２０８と同様の処理をする。そして、制御部１０２は、ステップＳ２２２において、第２の環状スイッチＳｗ２が前方回動されたと判断したとき、ステップＳ２２３へ処理を進める。一方、制御部１０２は、ステップＳ２２２において、第２の環状スイッチＳｗ２が前方回動されていないと判断したとき、ステップＳ２２９へ処理を進める。
【０１１２】
ステップＳ２２３において、制御部１０２は、フロントウォッシャーのＯｎに対応する動作モード画像を表示部１０４にハイライト表示させる指示をする。また、制御部１０２は、ステップＳ２２３において、ウォッシャーのＯｆｆに対応する動作モード画像を表示部１０４に通常表示させる指示をする。ステップＳ２２４において、制御部１０２は、フロントウォッシャー信号Ｆｓを生成する。尚、本実施形態では、制御部１０２によって生成されたフロントウォッシャー信号Ｆｓを取得したワイパー装置１０５に含まれるウォッシャー機能は、フロントウォッシャー信号Ｆｓが生成されている期間の全てにおいてフロントウォッシャーを作動させるものとする。
【０１１３】
ステップＳ２２５において、制御部１０２は、前方回動信号Ｆｒ２が生成されているか否かを判断する。制御部１０２は、ステップＳ２２５において、前方回動信号Ｆｒ２が生成されていると判断したとき、ステップＳ２２４へ処理を戻す。一方、制御部１０２は、ステップＳ２２５において、前方回動信号Ｆｒ２が生成されていないと判断したとき、ステップＳ２２６へ処理を進める。
【０１１４】
ステップＳ２２６において、制御部１０２は、フロントウォッシャー信号Ｆｓの生成を中止する。ステップＳ２２７において、制御部１０２は、ウォッシャーのＯｆｆに対応する動作モード画像を表示部１０４にハイライト表示させる指示をする。ステップＳ２２８において、制御部１０２は、フロントウォッシャーのＯｎに対応する動作モード画像を表示部１０４に通常表示させる指示をする。制御部１０２が、ステップＳ２２２〜Ｓ２２８の処理をすることにより、第２の環状スイッチＳｗ２がスライド位置Ｒ２において、前方に回動させられている間だけ、フロントウォッシャーが作動し、フロントウォッシャーのＯｎに対応する動作モード画像がハイライト表示される。
【０１１５】
ステップＳ２２９において、制御部１０２は、ステップＳ２１２と同様の処理をする。そして、制御部１０２は、ステップＳ２２９において、第２の環状スイッチＳｗ２が後方回動されたと判断したとき、ステップＳ２３０へ処理を進める。一方、制御部１０２は、ステップＳ２２９において、第２の環状スイッチＳｗ２が後方回動されていないと判断したとき、ステップＳ２０４へ処理を戻す。
【０１１６】
ステップＳ２３０において、制御部１０２は、リアウォッシャーＯｎに対応する動作モード画像を表示部１０４にハイライト表示させる指示をする。また、制御部１０２は、ステップＳ２３０において、ウォッシャーのＯｆｆに対応する動作モード画像を表示部１０４に通常表示させる指示をする。ステップＳ２３１において、制御部１０２は、リアウォッシャー信号Ｒｓを生成する。尚、本実施形態では、制御部１０２によって生成されたリアウォッシャー信号Ｒｓを取得したワイパー装置１０５に含まれるウォッシャー機能は、フロントウォッシャー信号Ｆｓが生成されているときと同様に、リアウォッシャー信号Ｒｓが生成されている期間の全てにおいてリアウォッシャーを作動させるものとする。
【０１１７】
ステップＳ２３２において、制御部１０２は、後方回動信号Ｒｒ２が生成されているか否かを判断する。制御部１０２は、ステップＳ２３２において、後方回動信号Ｒｒ２が生成されていると判断したとき、ステップＳ２３１へ処理を戻す。一方、制御部１０２は、ステップＳ２３２において、後方回動信号Ｒｒ２が生成されていないと判断したとき、ステップＳ２３３へ処理を進める。
【０１１８】
ステップＳ２３３において、制御部１０２は、リアウォッシャー信号Ｒｓの生成を中止する。ステップＳ２３４において、制御部１０２は、ウォッシャーのＯｆｆに対応する動作モード画像を表示部１０４にハイライト表示させる指示をする。ステップＳ２３５において、制御部１０２は、リアウォッシャーのＯｎに対応する動作モード画像を表示部１０４に通常表示させる指示をする。制御部１０２が、ステップＳ２２９〜Ｓ２３５の処理をすることにより、第２の環状スイッチＳｗ２がスライド位置Ｒ２において、後方に回動させられている間だけ、リアウォッシャーが作動し、リアウォッシャーのＯｎに対応する動作モード画像がハイライト表示される。
【０１１９】
続いて、図１６のフローチャートを参照しながら、制御部１０２のステップＳ２３６以降の処理について説明する。ステップＳ２３６において、制御部１０２は、ステップＳ２０８と同様の処理をする。そして、制御部１０２は、ステップＳ２３６において、第２の環状スイッチＳｗ２が前方回動されたと判断したとき、ステップＳ２３７へ処理を進める。一方、制御部１０２は、ステップＳ２３６において、第２の環状スイッチＳｗ２が前方回動されていないと判断したとき、ステップＳ２４０へ処理を進める。
【０１２０】
ステップＳ２３７において、制御部１０２は、記憶部１０３に記憶されているフロントワイパーモード値Ｗｖを１だけインクリメントする。ステップＳ２３８において、制御部１０２は、ステップＳ２３７におけるインクリメント後のフロントワイパーモード値Ｗｉが４以上か否かを判断する。制御部１０２は、ステップＳ２３８において、フロントワイパーモード値Ｗｉが４以上であると判断したとき、ステップＳ２３９へ処理を進める。一方、制御部１０２は、ステップＳ２３８において、フロントワイパーモード値Ｗｉが４以上でないと判断したとき、ステップＳ２４４へ処理を進める。ステップＳ２３９において、制御部１０２は、記憶部１０３に記憶されているフロントワイパーモード値Ｗｉを３に更新する。制御部１０２が、ステップＳ２３８〜Ｓ２３９の処理をする理由は、上述したステップＳ２１０〜Ｓ２１１の処理をする理由と同様である。
【０１２１】
ステップＳ２４０において、制御部１０２は、ステップＳ２１２と同様の処理をする。そして、制御部１０２は、ステップＳ２４０において、第２の環状スイッチＳｗ２が後方回動されたと判断したとき、ステップＳ２４１へ処理を進める。一方、制御部１０２は、ステップＳ２４０において、第２の環状スイッチＳｗ２が後方回動されていないと判断したとき、ステップＳ２０４へ処理を戻す。
【０１２２】
ステップＳ２４１において、制御部１０２は、記憶部１０３に記憶されているフロントワイパーモード値Ｗｉを１だけデクリメントする。ステップＳ２４２において、制御部１０２は、ステップＳ２４１におけるデクリメント後のフロントワイパーモード値Ｗｉが−１未満か否かを判断する。制御部１０２は、ステップＳ２４２において、フロントワイパーモード値Ｗｉが−１未満であると判断したときステップＳ２４３へ処理を進める。一方、制御部１０２は、ステップＳ２４２において、フロントワイパーモード値Ｗｉが−１未満でないと判断したとき、ステップＳ２４４へ処理を進める。
【０１２３】
次に、制御部１０２のライト操作処理について具体的に説明する。図１７及び図１８は、上述したステップＳ３００におけるライト操作処理の具体的な処理を示すフローチャートである。
【０１２４】
ステップＳ３０１において、制御部１０２は、記憶部１０３に記憶されているライトモード値Ｒｉ及びフォグモード値Ｆｏを取得する。ステップＳ３０２において、制御部１０２は、上述したライト操作画面を表示部１０４の表示画面に表示させる。ステップＳ３０３において、制御部１０２は、ステップＳ３０１において取得したライトモード値Ｒｉ及びフォグモード値Ｆｏに対応する動作モードを上述した記憶テーブルを参照して特定し、特定した動作モードに対応する動作モード画像をそれぞれ表示部１０４にハイライト表示させる指示をする。ステップＳ３０４において、制御部１０２は、ステップＳ３０４の処理をするときの第３の環状スイッチＳｗ３のスライド位置に基づいて、ステップＳ１０４と同様の処理をして、上述したスライド方向画像を表示部１０４に表示させる指示をする。ステップＳ３０５において、制御部１０２は、ステップＳ３０５の処理をするときの第３の環状スイッチＳｗ３のスライド位置に基づいて、現在選択されている操作対象に対応する動作モード画像列を表示部１０４にハイライト表示させる指示をする。
【０１２５】
ステップＳ３０６において、制御部１０２は、第３の環状スイッチＳｗ３について、ステップＳ１０６と同様の判断をする。制御部１０２は、ステップＳ３０６において、第３の環状スイッチＳｗ３が何らかの動きをしたと判断したとき、ステップＳ３０７へ処理を進める。一方、制御部１０２は、ステップＳ３０６において、第３の環状スイッチＳｗ３が何らかの動きをしていないと判断したとき、ステップＳ３２０へ処理を進める。
【０１２６】
ステップＳ３０７において、制御部１０２は、第３の環状スイッチＳｗ３がスライド位置Ｌ３にあるか否かを判断する。制御部１０２は、ステップＳ３０７において、第３の環状スイッチＳｗ３がスライド位置Ｌ３にあると判断したとき、ステップＳ３０８へ処理を進める。一方、制御部１０２は、ステップＳ３０７において、第３の環状スイッチＳｗ３がスライド位置Ｌ３にないと判断したとき、ステップＳ３２３へ処理を進める。
【０１２７】
ステップＳ３０８において、制御部１０２は、ライトモード値Ｒｉが２以上か否かを判断する。制御部１０２は、ステップＳ３０８において、ライトモード値Ｒｉが２以上であると判断したときステップＳ３０９へ処理を進める。一方、制御部１０２は、ステップＳ３０８において、ライトモード値Ｒｉが２以上でないと判断したとき、ステップＳ３１９へ処理を進める。
【０１２８】
ステップＳ３０９において、制御部１０２は、第３の環状スイッチＳｗ３によって前方回動信号Ｆｒ３が生成されたか否か、すなわち、ステップＳ３０６における第３の環状スイッチＳｗ３の動きが前方回動であるか否かを判断する。制御部１０２は、ステップＳ３０９において、前方回動信号Ｆｒ３が生成されたと判断したとき、すなわち、第３の環状スイッチＳｗ３が前方に１度だけ回動させられたと判断したとき、ステップＳ３１０へ処理を進める。一方、制御部１０２は、ステップＳ３０９において、第３の環状スイッチＳｗ３によって前方回動信号Ｆｒ３が生成されていないと判断したとき、すなわち、第３の環状スイッチＳｗ３が前方に回動させられていないと判断したとき、ステップＳ３１３へ処理を進める。
【０１２９】
ステップＳ３１０において、制御部１０２は、記憶部１０３に記憶されているフォグモード値Ｆｏを１だけデクリメントする。ステップＳ３１１において、制御部１０２は、ステップＳ３１０におけるデクリメント後のフォグモード値Ｆｏが０未満か否かを判断する。制御部１０２は、ステップＳ３１１において、フォグモード値Ｆｏが０未満であると判断したときステップＳ３１２へ処理を進める。一方、制御部１０２は、ステップＳ３１１において、フォグモード値Ｆｏが０未満でないと判断したとき、ステップＳ３１７へ処理を進める。
【０１３０】
ステップＳ３１２において、制御部１０２は、記憶部１０３に記憶されているフォグモード値Ｆｏをゼロに更新する。制御部１０２が、ステップＳ３１１〜ステップＳ３１２の処理をする理由は、フォグモード値Ｆｏについて、上述したステップＳ１１４〜ステップＳ１１５の処理をする理由と同様である。
【０１３１】
ステップＳ３１３において、制御部１０２は、第３の環状スイッチＳｗ３によって後方回動信号Ｒｒ３が生成されたか否か、すなわち、ステップＳ３０６における第１の環状スイッチＳｗ１の動きが後方回動であるか否かを判断する。制御部１０２は、ステップＳ３１３において、後方回動信号Ｒｒ３が生成されたと判断したとき、すなわち、第３の環状スイッチＳｗ３が後方に１度だけ回動させられたと判断したとき、ステップＳ３１４へ処理を進める。一方、制御部１０２は、ステップＳ３１３において、第３の環状スイッチＳｗ３によって後方回動信号Ｒｒ３が生成されていないと判断したとき、すなわち、第３の環状スイッチＳｗ３が後方に回動させられていないと判断したとき、ステップＳ３０４へ処理を戻す。
【０１３２】
ステップＳ３１４において、制御部１０２は、記憶部１０３に記憶されているフォグモード値Ｆｏを１だけインクリメントする。ステップＳ３１５において、制御部１０２は、ステップＳ３１４の処理におけるインクリメント後のフォグモード値Ｆｏが３以上か否かを判断する。制御部１０２は、ステップＳ３１５において、フォグモード値Ｆｏが３以上であると判断したとき、ステップＳ３１６へ処理を進める。一方、制御部１０２は、ステップＳ３１５において、フォグモード値Ｆｏが３以上でないと判断したとき、ステップＳ３１７へ処理を進める。
【０１３３】
ステップＳ３１６において、制御部１０２は、記憶部１０３に記憶されているフォグモード値Ｆｏを２に更新する。制御部１０２が、ステップＳ３１５〜ステップＳ３１６の処理をする理由は、フォグモード値Ｆｏについて、ステップＳ１１０〜ステップＳ１１１の処理をする理由と同様である
【０１３４】
ステップＳ３１７において、制御部１０２は、記憶部１０３に記憶されているフォグモード値Ｆｏに対応するフォグランプの動作モードを上述した記憶テーブルを参照して特定し、特定したフォグランプの動作モードに対応する動作モード画像を表示部１０４にハイライト表示させる指示をする。ステップＳ３１８において、制御部１０２は、ステップＳ３１７の処理をする直前にハイライト表示をさせていたフォグランプの動作モード画像を表示部１０４に通常表示させる指示をする。
【０１３５】
ステップＳ３１９において、制御部１０２は、フォグランプの使用不可を文字、又は、図柄の少なくともいずれか一方で示すフォグランプ使用不可画像を表示部１０４の表示画面に表示させる指示をする。
【０１３６】
ステップＳ３２０において、制御部１０２は、第３の環状スイッチＳｗ３について、ステップＳ１１８と同様の処理をする。そして、制御部１０２は、ステップＳ３２０において、第３の環状スイッチＳｗ３が接触を検出していると判断したとき、ステップＳ３０４へ処理を戻す。一方、制御部１０２は、ステップＳ３２０において、第３の環状スイッチＳｗ３が接触を検出していないと判断したとき、ステップＳ３２１へ処理を進める。
【０１３７】
ステップＳ３２１において、制御部１０２は、記憶部１０３に記憶されているフォグモード値Ｆｏ及び第３の環状スイッチＳｗ３によって生成されているライトモード値Ｒｉに対応する動作モードを上述した記憶テーブルを参照してそれぞれ特定し、特定した動作モードでフォグランプ及びライトをそれぞれ動作させる指示をライト装置１０６にする。ステップＳ３２２において、制御部１０２は、ステップＳ１２０と同様の処理をする。
【０１３８】
続いて、図１８のフローチャートを参照しながら、制御部１０２のステップＳ３２３以降の処理について説明する。ステップＳ３２３において、制御部１０２は、ステップＳ３０９と同様の処理をする。そして、制御部１０２は、ステップＳ３２３において、第３の環状スイッチＳｗ３が前方回動されたと判断したとき、ステップＳ３２４へ処理を進める。一方、制御部１０２は、ステップＳ３２３において、第３の環状スイッチＳｗ３が前方回動されていないと判断したとき、ステップＳ３３０へ処理を進める。
【０１３９】
ステップＳ３２４において、制御部１０２は、記憶部１０３に記憶されているライトモード値Ｒｉを１だけインクリメントする。ステップＳ３２５において、制御部１０２は、ステップＳ３２４におけるインクリメント後のライトモード値Ｒｉが４以上か否かを判断する。制御部１０２は、ステップＳ３２５において、ライトモード値Ｒｉが４以上であると判断したとき、ステップＳ３２６へ処理を進める。一方、制御部１０２は、ステップＳ３２５において、ライトモード値Ｒｉが４以上でないと判断したとき、ステップＳ３２７へ処理を進める。ステップＳ３２６において、制御部１０２は、記憶部１０３に記憶されているライトモード値Ｒｉを３に更新する。制御部１０２が、ステップＳ３２５〜Ｓ３２６の処理をする理由は、ステップＳ１１０〜Ｓ１１１の処理をする理由と同様である。
【０１４０】
ステップＳ３２７において、制御部１０２は、記憶部１０３に記憶されているライトモード値Ｒｉが２以上か否かを判断する。制御部１０２は、ステップＳ３２７において、ライトモード値Ｒｉが２以上であると判断したとき、ステップＳ３２８へ処理を進める。一方、制御部１０２は、ステップＳ３２７において、ライトモード値Ｒｉが２以上でないと判断したとき、ステップＳ３３４へ処理を進める。
【０１４１】
ステップＳ３２８において、制御部１０２は、記憶部１０３に記憶されているライトモード値Ｒｉに対応するライトの動作モードを上述した記憶テーブルを参照して特定し、特定した動作モードに対応する動作モード画像を表示部１０４にハイライト表示させる指示をする。ステップＳ３２９において、制御部１０２は、ライトの動作モードに対応する動作モード画像について、ステップＳ３１８と同様の処理をする。
【０１４２】
ステップＳ３３０において、制御部１０２は、ステップＳ３１３と同様の処理をする。そして、制御部１０２は、ステップＳ３３０において、第３の環状スイッチＳｗ３が後方回動されたと判断したとき、ステップＳ３３１へ処理を進める。一方、制御部１０２は、ステップＳ３３０において、第３の環状スイッチＳｗ３が後方回動されていないと判断したとき、ステップＳ３０４へ処理を戻す。
【０１４３】
ステップＳ３３１において、制御部１０２は、記憶部１０３に記憶されているライトモード値Ｒｉを１だけデクリメントする。ステップＳ３３２において、制御部１０２は、ステップＳ３３３におけるデクリメント後のライトモード値Ｒｉが０未満か否かを判断する制御部１０２は、ライトモード値Ｒｉが０未満であると判断したとき、ステップＳ３３３へ処理を進める一方、制御部１０２は、ステップＳ３３１におけるデクリメント後のライトモード値Ｒｉが０未満でないと判断したとき、ステップＳ３２７へ処理を進める。
【０１４４】
ステップＳ３３４において、制御部１０２は、記憶部１０３に記憶されているフォグモード値Ｆｏが１以上か否かを判断する。制御部１０２は、ステップＳ３３４において、フォグモード値Ｆｏが１以上であると判断したとき、ステップＳ３３５へ処理を進める。一方、制御部１０２は、ステップＳ３３４において、フォグモード値Ｆｏが１以上でないと判断したとき、ステップＳ３２８へ処理を進める。
【０１４５】
ステップＳ３３５において、制御部１０２は、記憶部１０３に記憶されているフォグモード値Ｆｏを０に更新する。ステップＳ３３６において、制御部１０２は、フォグランプのＯｆｆの動作モードに対応する動作モード画像を表示部１０４にハイライト表示させる指示をする。ステップＳ３３７において、制御部１０２は、ステップＳ３３６の処理をする直前にハイライト表示されていたフォグランプの動作モード画像を表示部１０４に通常表示させる指示をする。
【０１４６】
次に、ステップＳ４００における制御部１０２の押し込みスイッチ処理について具体的に説明する。図１９は、上述したステップＳ４００における制御部１０２の押し込みスイッチ処理の具体的な処理を示すフローチャートである。本実施形態に係る制御部１０２は、押し込みスイッチＰｓがＯｎとなってから次にＯｆｆになるまでの時間Ｔ１が、予め定めた閾値σ１以下の時には、フロントワイパーを１度だけ往復動作させるワイパーＭＩＳＴ動作させる指示をワイパー装置１０５にさせる。一方、本実施形態に係る制御部１０２は、押し込みスイッチＰｓがＯｎとなってから、時間Ｔ１が閾値σ１を越えた後に次にＯｆｆになったときには、時間Ｔ１が閾値σ１を越えたときから次にＯｆｆにされるまでの全ての時間において、フロントウォッシャー及びフロントワイパーを動作させる指示をワイパー装置１０５にさせる。
【０１４７】
本実施形態では、画面を見ながら各操作対象の動作モードを選択し、タッチセンサ（環状スイッチ）が接触を検出しなくなることで選択した動作モードでそれぞれの操作対象を動作させることができる。これに対して、制御部１０２が、図１９に示すような処理をすることにより、使用者が、咄嗟にフロントガラスを払拭して視界を確保したくなったときなどに、予備の動作として、画面を見ながら動作モードを選択してタッチセンサの接触を解除することなく、即座にフロントワイパー及びフロントウォッシャーの少なくともいずれか一方を動作させることができる。図１９のフローチャートは、この処理を制御部１０２に実行させるためのフローチャートである。
【０１４８】
ステップＳ４０１において、制御部１０２は、押し込みスイッチＰｓが１度Ｏｎにされてから次にＯｆｆにされるまでの時間ｔ１の測定を開始する。ステップＳ４０２において、制御部１０２は、時間Ｔ１が予め定められた閾値σ１以上か否かを判断する。制御部１０２は、ステップＳ４０２において、時間Ｔ１が閾値σ１以上であると判断したとき、ステップＳ４０３へ処理を進める。一方、制御部１０２は、ステップＳ４０２において、時間Ｔ１が閾値σ１以上でないと判断したとき、ステップＳ４０７へ処理を進める。
【０１４９】
ステップＳ４０３において、制御部１０２は、フロントウォッシャー信号Ｆｓ及びフロントワイパー信号Ｗｓの生成を開始する。ステップＳ４０４において、制御部１０２は、押し込みスイッチＰｓがＯｆｆになったか否かを判断する。制御部１０２は、ステップＳ４０４において、押し込みスイッチがＯｆｆになったと判断したとき、ステップＳ４０５へ処理を進める。一方、制御部１０２は、ステップＳ４０４において、押し込みスイッチＰｓがＯｆｆになっていないと判断したとき、ステップＳ４０３へ処理を戻す。尚、本実施形態においてワイパー装置１０５は、フロントワイパー信号Ｗｓが生成されている期間の全てにおいてフロントワイパーを動作させるものとする。
【０１５０】
ステップＳ４０５において、制御部１０２は、フロントウォッシャー信号Ｆｓ及びフロントワイパー信号Ｗｓの生成を中止する。ステップＳ４０６において、制御部１０２は、時間Ｔ１をゼロにリセットする。
【０１５１】
ステップＳ４０７において、制御部１０２は、押し込みスイッチＰｓがＯｆｆになったか否かを判断する。制御部１０２は、ステップＳ４０７において、押し込みスイッチＰｓがＯｆｆになったと判断したとき、ステップＳ４０８へ処理を進める。一方、制御部１０２は、ステップＳ４０７において、押し込みスイッチＰｓがＯｆｆになっていないと判断したとき、ステップＳ４０２へ処理を戻す。ステップＳ４０８において、制御部１０２は、ワイパーＭＩＳＴ信号Ｍｓを１度だけ生成する。
【０１５２】
（第１の実施形態の第１の変形例）
上記第１の実施形態に係る発明では、使用者が第１の環状スイッチＳｗ１〜第３の環状スイッチＳｗ３のいずれかのスイッチ（タッチセンサ）に少しでも触れると必ず表示部１０４の表示画面が切り換わる。しかしながら、使用者が、走行中に行う操作には、方向指示器を動作させる方向指示操作などの画面の確認をするに足らない操作も含まれる。したがって、使用者がこのような操作をしたときにも画面が切り換わってしまうと、画面が不必要に切り換わることによってちらつきが発生してしまい、使用者に不快感を与えてしまう。図２０に示すフローチャートは、図１１のフローチャートに示す処理を変形し、使用者によって画面の確認をするに足らない操作がされ、第１の環状スイッチＳｗ１〜第３の環状スイッチＳｗ３のいずれかが接触を検出したときに不必要に画面を切り換えない処理を制御部１０２に実行させるためのフローチャートである。尚、第１の実施形態の第１の変形例に係る操作装置の構成は、上述した操作装置１０の構成と同様であるため、説明を省略する。また、本変形例の図２０のフローチャートについて、第１の実施形態における図１１のフローチャートと同一の処理については同一の参照符号を付し説明を省略する。
【０１５３】
ステップＳ５１において、制御部１０２は、第１の環状スイッチＳｗ１〜第３の環状スイッチＳｗ３のいずれかのスイッチが接触を検出してＯｎになったか否かを判断する。制御部１０２は、ステップＳ５１において、いずれかのスイッチがＯｎになったと判断したときステップＳ５３へ処理を進める。一方、制御部１０２は、ステップＳ５１において、いずれかのスイッチがＯｎになっていないと判断したとき、ステップＳ１４へ処理を進める。
【０１５４】
ステップＳ５２において、制御部１０２は、第１の環状スイッチＳｗ１〜第３の環状スイッチＳｗ３のいずれかがＯｎになってから次にＯｆｆになるまでの時間Ｔ２の測定を開始する。ステップＳ５３において、制御部１０２は、時間Ｔ２が予め定められた閾値σ２以上か否かを判断する。制御部１０２は、ステップＳ５３において、時間Ｔ２が閾値σ２以上であると判断したとき、ステップＳ１１へ処理を進める。一方、制御部１０２は、ステップＳ５３において、時間Ｔ２が閾値σ２以上でないと判断したとき、ステップＳ５４へ処理を進める。
【０１５５】
ステップＳ５４において、制御部１０２は、ステップＳ５１において接触を検出したいずれかのスイッチが接触を検出しなくなったか否かを判断する。制御部１０２は、ステップＳ５４において、ステップＳ５１において接触を検出したいずれかのスイッチが接触を検出しなくなったと判断したとき、ステップＳ５５へ処理を進める。一方、制御部１０２は、ステップＳ５４において、ステップＳ５１において接触を検出したいずれかのスイッチが接触を検出していると判断したとき、ステップＳ５３へ処理を戻す。ステップＳ５５において、制御部１０２は、時間Ｔ２をゼロにリセットする。
【０１５６】
制御部１０２が、図２０のフローチャートに示す処理をすることにより、使用者は、第１の環状スイッチＳｗ１〜第３の環状スイッチＳｗ３のいずれかのスイッチが予め定められた閾値σ２以上の時間だけ接触を検出しないと、表示部１０４の表示が切り換わらない。すなわち、制御部１０２が、図２０のフローチャートに示す処理をすることにより、画面が不必要に切り換わることによってちらつきが発生してしまい、使用者に不快感を与えてしまうことを防ぐことができる。
【０１５７】
（第１の実施形態の第２の変形例）
第１の実施形態に係る操作装置１０では、ワイパー速度調整とワイパー操作とをそれぞれ異なるスイッチを用いて行っていた。これに対して、第１の実施形態の第２の変形例（以下、単に第２の変形例という）に係る操作装置１０では、ワイパー速度調整とワイパー操作とを１つのスイッチを用いて行う。より具体的には、第１の実施形態に係る第１の環状スイッチＳｗ１及び第２の環状スイッチＳｗ２に代えて、これらのスイッチの両方の機能を有する、図２１に示すような第４の環状スイッチＳｗ４を用いてワイパー速度の調整と、ワイパーの操作とを行う。
【０１５８】
図２１に示す第４の環状スイッチＳｗ４は、上述した第２の環状スイッチＳｗ２と同様に、接触を検出したときにＯｎとなり、接触を検出していないときにＯｆｆとなるタッチセンサであるものとする。そして、第２の変形例では、第４の環状スイッチＳｗ４が接触を検出すると、ワイパー・ワイパー速度操作画面が表示部１０４の表示画面に表示される。
【０１５９】
第４の環状スイッチＳｗ４は、他の環状スイッチと同様に図２１に示すようにレバーＲｂを軸として回動可能に取り付けられている。また、第４の環状スイッチＳｗ４は、第２の環状スイッチＳｗ２と同様に、ニュートラル位置Ｎ４からスライド位置Ｌ４及びＲ４へそれぞれスライド可能に取り付けられている。
【０１６０】
また、第４の環状スイッチＳｗ４が、図２１に示すそれぞれの位置へスライドさせられることにより選択される操作対象は、第１の実施形態における第２の環状スイッチＳｗ２と同様である。また、第４の環状スイッチＳｗ４は、第２の環状スイッチＳｗ２と同様に図２１に示すそれぞれの位置においてモーメンタリ式スイッチとして機能する。
【０１６１】
第２の変形例における第４の環状スイッチＳｗ４は、図２１に示すニュートラル位置Ｎ４、スライド位置Ｌ４及びＲ４においてモーメンタリ式スイッチとして機能する。そして、第４の環状スイッチＳｗ４は、ニュートラル位置Ｎ４、スライド位置Ｌ４又はＲ４において前方及び後方に回動させられたときは、第２の環状スイッチＳｗ２と同様に前方回動信号Ｆｒ４及び後方回動信号Ｒｒ４をそれぞれ生成する。
【０１６２】
次に、第２の変形例における、上述したワイパー・ワイパー速度操作画面について説明をする。図２２は、第２の変形例において、第４の環状スイッチＳｗ４が接触を検出したときに表示部１０４の表示画面に表示されるワイパー・ワイパー速度操作画面の一例を示す図である。第２の変形例におけるワイパー・ワイパー速度操作画面は、フロントワイパー及びリアワイパーのそれぞれの動作モードと、フロントワイパーのＡＵＴＯモード時、及び、リアワイパーの間欠モード（ＩＮＴモード）時のそれぞれにおける動作速度とを、１つの第４の環状スイッチＳｗ４を用いて操作できるように構成される。すなわち、第２の変形例におけるワイパー・ワイパー速度操作画面は、図７に示すワイパー操作画面に、ワイパーの動作モード画像であるＡＵＴＯ１〜ＡＵＴＯ５までの動作モードに対応する動作モード画像と、リアワイパーの動作モード画像であるＩＮＴ１〜ＩＮＴ５までの動作モードに対応する動作モード画像とが追加された画面となる。これにより、第２の変形例に係る操作装置１０は、第４の環状スイッチＳｗ４のみを用いてワイパーの動作モードの切り換え及びワイパーの速度調整の両方をすることができる。
【０１６３】
次に、第２の変形例における記憶部１０３について説明をする。上述したとおり、ワイパーの動作モードとしてＡＵＴＯ１〜ＡＵＴＯ５の動作モードと、リアワイパーの動作モードとしてＩＮＴ１〜ＩＮＴ５までの動作モードとがそれぞれ追加されたため、記憶部１０３に記憶されている記憶テーブルも変更しなければならない。図２３は、第２の変形例における記憶部１０３が記憶している記憶テーブルの構成を示す図である。第２の変形例のように、操作対象に動作モードを追加したときは、図２３に示すように記憶テーブルに記載しておく動作モードと値との組を追加することによって、第１の実施形態と同様に操作部１０１によってワイパー装置１０５を操作をすることができる。
【０１６４】
尚、上述したように、第１の実施形態に係る表示部１０４の表示画面に操作対象毎の動作モード画像が、それぞれ動作モード画像列として１列に配置されて表示され、それぞれの動作モード画像列に対応する操作対象を文字で示す操作対象画像が、表示部１０４の表示画面におけるそれぞれの動作モード画像列の上方に表示される点は、第２の変形例においても同様である。また、第１の実施形態において、現在選択されている操作対象の動作モード画像列がハイライト表示される点、それぞれの操作対象において現在選択されている動作モードに対応する動作モード画像がハイライト表示される点、環状スイッチのそれぞれのスライド位置と操作対象毎の動作モード画像列の表示部１０４の表示画面上における位置とが対応付けられている点、環状スイッチのそれぞれの回動方向と操作対象毎の動作モード画像の表示部１０４の表示画面上における選択方向とが対応付けられている点、スライド方向画像が表示される点、及び、必要に応じてスライド方向画像を連続させて表示させる点については、第２の変形例においても同様である。また、第２の変形例における第３の環状スイッチＳｗ３は、第１の実施形態と同様の構成及び機能を有しているため説明を省略する。
【０１６５】
次に、フローチャートを参照しながら、第２の変形例における制御部１０２の処理を説明する。図２４は、第１の実施形態に係る制御部１０２の図１１のフローチャートに示す処理を変形した第２の変形例における制御部１０２の処理を示すフローチャートである。尚、第２の変形例における制御部１０２の処理において、第１の実施形態と同一の処理については、同一の参照符号を付して説明を省略する。また、第３の環状スイッチＳｗ３が接触を検出しときの処理、すなわち、ライト操作処理は第１の実施形態と同様であるため説明を省略する。
【０１６６】
ステップＳ１５において、制御部１０２は、第４の環状スイッチＳｗ４が接触を検出してＯｎになったか否かを判断する。制御部１０２は、ステップＳ１５において、第４の環状スイッチＳｗ４がＯｎになったと判断したとき、ステップＳ５００へ処理を進める。一方、制御部１０２は、ステップＳ１５において、第４の環状スイッチＳｗ４がＯｎになっていないと判断したとき、ステップＳ１３へ処理を進める。
【０１６７】
ステップＳ５００において、制御部１０２は、ワイパー・ワイパー速度操作処理を開始する。このワイパー・ワイパー速度操作処理の詳細については、後述する。制御部１０２は、ステップＳ５００のワイパー・ワイパー速度操作処理を完了すると、図２４に示す処理をステップＳ１５から繰り返す。
【０１６８】
次に、ステップＳ５００における制御部１０２のワイパー・ワイパー速度操作処理について説明する。制御部１０２のステップＳ５００の処理は、基本的にステップＳ２００と同様の処理である。ステップＳ５００とステップＳ２００との具体的な相違点は、第４の環状スイッチＳｗ４によって生成される信号に基づいて行われる点、Ｓ５００の処理をする際に参照する記憶テーブルが異なる点、フロントワイパーモード値Ｗｉ及びリアワイパーモード値Ｒｗの上限値（ステップＳ２１０及びＳ２４２における比較値）及び下限値（ステップＳ２１４及びＳ２４７における比較値）がそれぞれ異なる点である。したがって、ステップＳ５００の詳細な説明は省略する。
【０１６９】
以上が、第１の実施形態の第２の変形例における制御部１０２の処理の説明である。第２の変形例によれば、ワイパーの動作モードの操作とワイパー速度の調整操作とを１つの環状スイッチによってすることができる。
【０１７０】
尚、本発明では、図２５に示すように、モーメンタリ式のターンスイッチＴｗを追加してもよい。図２５は、一例として、上述した第２の変形例における操作部１０１の構成に、タンスイッチＴｗを追加した構成を示す図である。図２５に示す例では、ターンスイッチＴｗを中心点ｂを中心として上方向に回動させることで右方向指示をすることができ、ターンスイッチＴｗを中心点ｂを中心として下方向に回動させることで左方向指示をすることができる。
【０１７１】
また、上述した本発明の説明では、環状スイッチは全てのスライド位置において、モーメンタリ式スイッチとして機能するものとした。しかしながら、上述した環状スイッチを、それぞれのスライド位置へスライドさせられたときにダイヤル式スイッチの機能とモーメンタリ式スイッチの機能とを切り換えられるように構成してもよい。ダイヤル式スイッチとは、回転方向の絶対位置に応じてそれぞれ異なる信号を生成するスイッチのことである。このダイヤル式スイッチを用いることにより、回転方向の絶対位置に上述したそれぞれの動作モードを予め対応付ければ、モーメンタリ式スイッチを用いたときには同じ方向に複数回回動させなければならない動作モードを選択するときでも、１度の回動動作で使用者が希望する動作モードを直接選択することができる。より具体的には、例えば、選択可能な動作モードの数が多い操作対象（例えば、図２２に示すフロントワイパー）を操作するときに、これらの動作モードをモーメンタリ式スイッチで選択しようとすると、モーメンタリ式スイッチの回動回数が増加してしまう。これに対して、選択可能な動作モードの数が多い操作対象を操作するときにダイヤル式スイッチを用いると、回動操作を１度するだけで、希望する動作モードを選択することができる。
【０１７２】
また、上述した本発明の説明では、環状スイッチはレバーＲｂを軸として回動可能、且つ、スライド可能であるものとして説明をした。しかしながら、操作部１０１の環状スイッチを、回動及びスライドのいずれか一方のみの変動が可能なように構成し、このように構成された操作部１０１を用いても全ての操作対象が操作できるように、それぞれの操作画面における動作モード画像や動作モード画像列を配置してもよい。
【０１７３】
また、上述した制御部１０２の全ての処理は、一例として示したものであり、上述した操作部を用いて、上述した表示部の表示画面の表示及び操作対象の操作を行うことができる処理であれば、どのような処理を用いてもよい。
【０１７４】
また、上述した本発明の説明においては、環状スイッチには、操作できる車載装置毎の操作対象がそれぞれ予め対応付けられており、それぞれの環状スイッチをスライドさせることで、車載装置毎の操作対象を切り換えることができるものとして説明をした。しかしながら、環状スイッチには、使用者や設計者の要求に応じて、車載装置毎の操作対象ではなく、複数種類の車載装置の操作対象をそれぞれ１つの環状スイッチに予め対応付けてもよい。より具体的な一例としては、ワイパー装置に含まれるフロントワイパーとライト装置に含まれるフォグランプとを１つの環状スイッチに予め対応付けておき、当該環状スイッチをスライドされることにより、スライド後の位置に応じてこれらの操作対象（フロントワイパー、及び、フォグランプ）を選択できるようにしてもよい。これにより、１つの環状スイッチに対応付けることのできる操作対象の自由度を高めることができ、設計者がよりよいと考える操作環境、又は、使用者の好みの操作環境を提供することができる。
【０１７５】
また、本発明において、表示部の表示画面上に表示される動作モード画像の表示位置を使用者がそれぞれ変更できるようにしてもよい。これにより、使用者の好みを反映した操作環境を提供することができる。ただし、表示部の表示画面上に表示される動作モード画像の表示位置を変更したとしても、上述した環状スイッチの回動方向と、動作モード画像の選択方向との対応付けは、変更しないことが好ましい。
【０１７６】
また、上述した本発明の説明においては、本発明に係る操作装置を用いて、車載装置を操作するものとした。しかしながら、本発明に係る操作装置は、車載装置の操作をするための操作装置のみに限られるものではなく、本発明に係る操作装置を用いて操作することが好ましいと考えられるあらゆる装置を操作するための操作装置として用いられてもよい。
【０１７７】
また、上述した本発明の説明においては、全ての環状スイッチがそれぞれスライドさせられたときに操作対象が選択され、回動されたときに選択されている操作対象の機能が選択されるものとした。しかしながら、本発明では、環状スイッチが回動されたときに操作対象が選択され、スライドさせられたときに選択されている操作対象の機能が選択されるものとしてもよい。このとき、表示部１０４の表示画面には、動作モード画像を表示画面の水平方向に１列に配置したものを動作モード画像列として表示する。そして、環状スイッチのスライド位置と操作対象毎の動作モード画像の表示位置とを対応させ、環状スイッチの回動方向と操作対象毎の動作モード画像列の表示位置とを対応付けて、表示部１０４の表示画面上に表示してもよい。
【産業上の利用可能性】
【０１７８】
本発明によれば、操作部を直接視認することなく、多くの機能を容易に操作でき、例えば、車両などの移動体に搭載されている装置の操作装置などに利用することができる。
【図面の簡単な説明】
【０１７９】
【図１】第１の実施形態に係る操作装置の概略構成を示すブロック図
【図２】操作部の概略構成を示す図
【図３】記憶部に記憶されている記憶テーブルの一例を示す図
【図４】表示部の外観を示す図
【図５】ライト操作画面の一例を示す図
【図６】ライト操作画面の一例を示す図
【図７】ワイパー操作画面の一例を示す図
【図８】ワイパー速度調整画面の一例を示す図
【図９】ワイパー操作画面にワイパー速度画面を併せて表示した画面の一例を示す図
【図１０】操作レバー画像を表示した画面の一例を示す図
【図１１】第１の実施形態に係る制御部の処理を示す図
【図１２】第１の実施形態に係るワイパー速度調整処理の一例を示す図
【図１３】第１の実施形態に係るワイパー速度調整処理の一例を示す図
【図１４】第１の実施形態に係るワイパー操作処理の一例を示す図
【図１５】第１の実施形態に係るワイパー操作処理の一例を示す図
【図１６】第１の実施形態に係るワイパー操作処理の一例を示す図
【図１７】第１の実施形態に係るライト操作処理の一例を示す図
【図１８】第１の実施形態に係るライト操作処理の一例を示す図
【図１９】第１の実施形態に係る押し込みスイッチ処理の一例を示す図
【図２０】第１の実施形態に第１の変形例に係る制御部の処理を示す図
【図２１】第１の実施形態の第２の変形例に係る操作部の概略構成を示す図
【図２２】第１の実施形態の第２の変形例に係るワイパー・ワイパー速度操作画面の一例を示す図
【図２３】第１の実施形態の第２の変形例に係る記憶テーブルの一例を示す図
【図２４】第１の実施形態の第２の変形例に係る制御部の処理を示す図
【図２５】操作部の他の概略構成を示す図
【符号の説明】
【０１８０】
１０    操作装置
１０１    操作部
１０２    制御部
１０３    記憶部
１０４    表示部
１０５    ワイパー装置
１０６    ライト装置
【図１】
0004337003.tif 000002
【図２】
0004337003.tif 000003
【図３】
0004337003.tif 000004
【図４】
0004337003.tif 000005
【図５】
0004337003.tif 000006
【図６】
0004337003.tif 000007
【図７】
0004337003.tif 000008
【図８】
0004337003.tif 000009
【図９】
0004337003.tif 000010
【図１０】
0004337003.tif 000011
【図１１】
0004337003.tif 000012
【図１２】
0004337003.tif 000013
【図１３】
0004337003.tif 000014
【図１４】
0004337003.tif 000015
【図１５】
0004337003.tif 000016
【図１６】
0004337003.tif 000017
【図１７】
0004337003.tif 000018
【図１８】
0004337003.tif 000019
【図１９】
0004337003.tif 000020
【図２０】
0004337003.tif 000021
【図２１】
0004337003.tif 000022
【図２２】
0004337003.tif 000023
【図２３】
0004337003.tif 000024
【図２４】
0004337003.tif 000025
【図２５】
0004337003.tif 000026